(57)【要約】  本発明は、スマート機器の分野に属し、ビデオレコーディング方法、装置、プログラム及び記録媒体に関する。前記方法は、モバイル端末から送信される第１のネットワーク接続情報を受信するステップと、第１のネットワーク接続情報に基づいてモバイル端末とバインディングされたモニターリング機器の第２のネットワーク接続情報を取得するステップと、第１のネットワーク接続情報と第２のネットワーク接続情報とがマッチングする場合、モニターリング機器へレコーディング停止指令を送信するステップと、を含む。本発明は、ユーザが家にいる時にも、モニターリング機器が依然としてレコーディングされたビデオをサーバーにアップロードすることになり、ユーザのプライバシーを侵害させてしまう恐れがある問題を解決し、ユーザが携帯するモバイル端末のネットワーク接続状態に基づいてユーザが家にいるか否かを判断し、ユーザが家にいる時にモニターリング機器へレコーディング停止指令を送信し、ユーザのプライバシーを保護する効果に達した。  【選択図】図２
2017510222.tif 000002
【特許請求の範囲】
【請求項１】
モバイル端末から送信される第１のネットワーク接続情報を受信するステップと、
前記第１のネットワーク接続情報に基づいて前記モバイル端末とバインディングされたモニターリング機器の第２のネットワーク接続情報を取得するステップと、
前記第１のネットワーク接続情報と前記第２のネットワーク接続情報とがマッチングする場合、前記モニターリング機器へレコーディング停止指令を送信するステップと、を含むことを特徴とする、
ビデオレコーディング方法。
【請求項２】
前記第１のネットワーク接続情報と前記第２のネットワーク接続情報とがマッチングする場合、前記モニターリング機器へレコーディング停止指令を送信するステップは、
前記第１のネットワーク接続情報における、前記モバイル端末の接続するゲートウェイ機器の機器情報である第１の機器情報及び前記第２のネットワーク接続情報における、前記モニターリング機器の接続するゲートウェイ機器の機器情報である第２の機器情報を取得するステップと、
前記第１の機器情報と前記第２の機器情報とが同じであるか否かを検出するステップと、
前記第１の機器情報と前記第２の機器情報とが同じであることを検出した場合、前記モニターリング機器へレコーディング停止指令を送信するステップと、を含むことを特徴とする、
請求項１に記載の方法。
【請求項３】
前記第１の機器情報と前記第２の機器情報とが異なることを検出した場合、前記モニターリング機器へビデオレコーディング指令を送信するステップ、
又は、
前記モバイル端末が接続を切断することを検出した場合、前記モニターリング機器へ前記ビデオレコーディング指令を送信するステップをさらに含むことを特徴とする、
請求項２に記載の方法。
【請求項４】
前記第１のネットワーク接続情報に基づいて前記モバイル端末とバインディングされたモニターリング機器の第２のネットワーク接続情報を取得するステップは、
前記第１のネットワーク接続情報から前記モバイル端末のマークを取得するステップと、
前記モバイル端末のマークに基づいて予め設定されたバインディング関係から前記モバイル端末とバインディングされたモニターリング機器を検索するステップと、
バインディングされた前記モニターリング機器へ第２のネットワーク接続情報取得指令を送信するステップと、
バインディングされた前記モニターリング機器から送信された前記第２のネットワーク接続情報を受信するステップと、を含むことを特徴とする、
請求項１〜３のいずれの１項に記載の方法。
【請求項５】
前記第１のネットワーク接続情報に基づいて前記モバイル端末とバインディングされたモニターリング機器の第２のネットワーク接続情報を取得するステップは、
前記第１のネットワーク接続情報から前記モバイル端末のマークを取得するステップと、
前記モバイル端末のマークに基づいて予め設定されたバインディング関係から前記モバイル端末とバインディングされたモニターリング機器のマークを検索するステップと、
前記マークに基づいて、前記モニターリング機器で予めアップロードされた前記第２のネットワーク接続情報を取得し、前記第２のネットワーク接続情報は、前記モニターリング機器が接続情報の変化を検出した時又は初回接続した時にアップロードされたものであるステップとを、さらに含むことを特徴とする、
請求項１〜３のいずれの１項に記載の方法。
【請求項６】
前記モバイル端末又は前記モニターリング機器から送信された、バイル端末のマーク及び前記モニターリング機器のマークを含むバインディング情報を受信するステップと、
前記モバイル端末と前記モニターリング機器とのバインディング関係を保存するステップとを、さらに含むことを特徴とする、
請求項１〜５のいずれか１項に記載の方法。
【請求項７】
モバイル端末から送信される第１のネットワーク接続情報を受信するように配置される第１の受信モジュールと、
前記第１の受信モジュールで受信された前記第１のネットワーク接続情報に基づいて前記モバイル端末とバインディングされたモニターリング機器の第２のネットワーク接続情報を取得するように配置される情報取得モジュールと、
前記第１の受信モジュールで受信された前記第１のネットワーク接続情報と、前記情報取得モジュールで取得された前記第２のネットワーク接続情報とがマッチングする場合、前記モニターリング機器へレコーディング停止指令を送信するように配置される停止指令送信モジュールと、を備えることを特徴とする、
ビデオレコーディング装置。
【請求項８】
前記停止指令送信モジュールは、
前記第１のネットワーク接続情報における、前記モバイル端末の接続するゲートウェイ機器の機器情報である第１の機器情報及び前記第２のネットワーク接続情報における、前記モニターリング機器の接続するゲートウェイ機器の機器情報である第２の機器情報を取得するように配置される機器情報取得サブモジュールと、
前記機器情報取得サブモジュールで取得された前記第１の機器情報と前記第２の機器情報とが同じであるか否かを検出するように配置される機器情報検出サブモジュールと、
前記機器情報検出サブモジュールにより、前記第１の機器情報と前記第２の機器情報とが同じであることを検出した場合、前記モニターリング機器へレコーディング停止指令を送信するように配置される停止指令送信サブモジュールと、を備えることを特徴とする、
請求項７に記載の装置。
【請求項９】
前記機器情報検出サブモジュールにより、前記第１の機器情報と前記第２の機器情報とが異なることを検出した場合、前記モニターリング機器へビデオレコーディング指令を送信するように配置される第１の指令送信モジュール、
又は、
前記機器情報検出サブモジュールにより、前記モバイル端末が接続を切断することを検出した場合、前記モニターリング機器へ前記ビデオレコーディング指令を送信するように配置される第２の指令送信モジュール、をさらに備えることを特徴とする、
請求項８に記載の装置。
【請求項１０】
前記情報取得モジュールは、
前記第１のネットワーク接続情報から前記モバイル端末のマークを取得するように配置される第１の取得サブモジュールと、
前記第１の取得サブモジュールで取得された前記モバイル端末のマークに基づいて予め設定されたバインディング関係から前記モバイル端末とバインディングされたモニターリング機器を検索するように配置される第１の検索サブモジュールと、
第１の検索サブモジュールで検索されたバインディングされた前記モニターリング機器へ第２のネットワーク接続情報取得指令を送信するように配置される情報取得指令送信サブモジュールと、
前記第１の検索サブモジュールで検索されたバインディングされた前記モニターリング機器から送信された前記第２のネットワーク接続情報を受信するように配置される情報受信サブモジュールと、を備えることを特徴とする、
請求項７〜９のいずれか１項に記載の装置。
【請求項１１】
前記情報取得モジュールは、
前記第１のネットワーク接続情報から前記モバイル端末のマークを取得するように配置される第２の取得サブモジュールと、
前記第２の取得サブモジュールで取得された前記モバイル端末のマークに基づいて予め設定されたバインディング関係から前記モバイル端末とバインディングされたモニターリング機器のマークを検索するように配置される第２の検索サブモジュールと、
前記第２の検索サブモジュールで検索された前記マークに基づいて、前記モニターリング機器で予めアップロードされた前記第２のネットワーク接続情報を取得し、前記第２のネットワーク接続情報は、前記モニターリング機器が接続情報の変化を検出した時又は初回接続した時にアップロードされたものであるように配置される接続情報取得サブモジュールとを、さらに備えることを特徴とする、
請求項７〜９のいずれか１項に記載の装置。
【請求項１２】
前記モバイル端末又は前記モニターリング機器から送信された、前記モバイル端末のマーク及び前記モニターリング機器のマークを含むバインディング情報を受信するように配置されるバインディング情報受信モジュールと、
前記モバイル端末と前記モニターリング機器とのバインディング関係を保存するように配置されるバインディング関係保存モジュールとを、さらに備えることを特徴とする、
請求項７〜１１のいずれか１項に記載の装置。
【請求項１３】
プロセッサと、
前記プロセッサが実行可能な指令を記憶するためのメモリと、を備え、
前記プロセッサは、
モバイル端末から送信される第１のネットワーク接続情報を受信し、
前記第１のネットワーク接続情報に基づいて前記モバイル端末とバインディングされたモニターリング機器の第２のネットワーク接続情報を取得し、
前記第１のネットワーク接続情報と前記第２のネットワーク接続情報とがマッチングする場合、前記モニターリング機器へレコーディング停止指令を送信するように配置されることを特徴とする、
ビデオレコーディング装置。
【発明の詳細な説明】
【技術分野】
【０００１】
本発明は、スマート機器の分野に関し、特に、ビデオレコーディング方法及び装置に関する。
【背景技術】
【０００２】
スマート機器の発展に伴い、スマートカメラを用いて家の中の情況に対してモニターリングし始めるユーザは、ますます多くなってきた。
【０００３】
スマートカメラは、内蔵のＷｉ−Ｆｉ（Ｗｉｒｅｌｅｓｓ−Ｆｉｄｅｌｉｔｙ）モジュールにより、家におけるルーターと接続され、且つ、当該ルーターにより、スマートカメラでレコーディングされたビデオを、サーバーにアップロードする。ユーザは、家にいない時に、スマートフォンにより、当該サーバーにおけるビデオを取得して家における状況を調べることができる。
【０００４】
本発明を実現する過程において、発明者は、少なくとも、以下の欠陥、即ち、ユーザが家にいる時にも、スマートカメラは、依然としてレコーディングされたビデオをサーバーにアップロードすることになり、ユーザのプライバシーを侵害させてしまう恐れがあるという欠陥を見出した。
【発明の概要】
【０００５】
関連技術において、ユーザーが家にいる時にも、スマートカメラが依然としてレコーディングされたビデオをサーバーにアップロードすることになり、ユーザのプライバシーを侵害させてしまう恐れがあるという問題を解決するために、本発明の実施例では、ビデオレコーディング方法及び装置を提供した。前記技術案は、次の通りである。
【０００６】
本発明に係る実施例の第１の態様によれば、本発明は、ビデオレコーディング方法を提供し、前記方法は、
モバイル端末から送信される第１のネットワーク接続情報を受信するステップと、
第１のネットワーク接続情報に基づいてモバイル端末とバインディングされたモニターリング機器の第２のネットワーク接続情報を取得するステップと、
第１のネットワーク接続情報と第２のネットワーク接続情報とがマッチングする場合、モニターリング機器へレコーディング停止指令を送信するステップと、を含む。
【０００７】
１つの実施例では、第１のネットワーク接続情報と第２のネットワーク接続情報とがマッチングする場合、モニターリング機器へレコーディング停止指令を送信するステップは、
第１のネットワーク接続情報におけるモバイル端末の接続するゲートウェイ機器の機器情報である第１の機器情報及び第２のネットワーク接続情報におけるモニターリング機器の接続するゲートウェイ機器の機器情報である第２の機器情報を取得するステップと、
第１の機器情報と前記第２の機器情報とが同一か否かを検出するステップと、
第１の機器情報と第２の機器情報とが同じであることを検出した場合、モニターリング機器へレコーディング停止指令を送信するステップと、を含む。
【０００８】
１つの実施例では、前記方法は、
第１の機器情報と第２の機器情報とが異なることを検出した場合、モニターリング機器へビデオレコーディング指令を送信するステップ、
又は、
モバイル端末が接続を切断することを検出した場合、モニターリング機器へビデオレコーディング指令を送信するステップをさらに含む。
【０００９】
１つの実施例では、第１のネットワーク接続情報に基づいてモバイル端末とバインディングされたモニターリング機器の第２のネットワーク接続情報を取得するステップは、
第１のネットワーク接続情報からモバイル端末のマークを取得するステップと、
モバイル端末のマークに基づいて予め設定されたバインディング関係からモバイル端末とバインディングされたモニターリング機器を検索するステップと、
バインディングされたモニターリング機器へ第２のネットワーク接続情報取得指令を送信するステップと、
バインディングされたモニターリング機器から送信された第２のネットワーク接続情報を受信するステップと、を含む。
【００１０】
１つの実施例では、第１のネットワーク接続情報に基づいてモバイル端末とバインディングされたモニターリング機器の第２のネットワーク接続情報を取得するステップは、
第１のネットワーク接続情報からモバイル端末のマークを取得するステップと、
モバイル端末のマークに基づいて予め設定されたバインディング関係からモバイル端末とバインディングされたモニターリング機器のマークを検索するステップと、
マークに基づいて、モニターリング機器で予めアップロードされた第２のネットワーク接続情報を取得し、当該第２のネットワーク接続情報は、モニターリング機器が接続情報の変化を検出した時又は初回接続した時にアップロードされたものであるステップとを、さらに含む。
【００１１】
１つの実施例では、前記方法は、
モバイル端末又はモニターリング機器から送信されたモバイル端末のマーク及びモニターリング機器のマークを含むバインディング情報を受信するステップと、
モバイル端末とモニターリング機器とのバインディング関係を保存するステップと、をさらに含む。
【００１２】
本発明に係る実施例の第２の態様によれば、ビデオレコーディング装置を提供し、前記装置は、
モバイル端末から送信される第１のネットワーク接続情報を受信するように配置される第１の受信モジュールと、
第１の受信モジュールで受信された第１のネットワーク接続情報に基づいてモバイル端末とバインディングされたモニターリング機器の第２のネットワーク接続情報を取得するように配置される情報取得モジュールと、
第１の受信モジュールで受信された第１のネットワーク接続情報と、情報取得モジュールで取得された第２のネットワーク接続情報とがマッチングする場合、モニターリング機器へレコーディング停止指令を送信するように配置される停止指令送信モジュールと、を備える。
【００１３】
１つの実施例では、停止指令送信モジュールは、
第１のネットワーク接続情報におけるモバイル端末の接続するゲートウェイ機器の機器情報である第１の機器情報及び第２のネットワーク接続情報におけるモニターリング機器の接続するゲートウェイ機器の機器情報である第２の機器情報を取得するように配置される機器情報取得サブモジュールと、
機器情報取得サブモジュールで取得された第１の機器情報と第２の機器情報とが同じであるか否かを検出するように配置される機器情報検出サブモジュールと、
機器情報検出サブモジュールにより、第１の機器情報と第２の機器情報とが同じであることを検出した場合、モニターリング機器へレコーディング停止指令を送信するように配置される停止指令送信サブモジュールと、を備える。
【００１４】
１つの実施例では、前記装置は、
機器情報検出サブモジュールにより、第１の機器情報と第２の機器情報とが異なることを検出した場合、モニターリング機器へビデオレコーディング指令を送信するように配置される第１の指令送信モジュール、
又は、
機器情報検出サブモジュールにより、モバイル端末が接続を切断することを検出した場合、モニターリング機器へビデオレコーディング指令を送信するように配置される第２の指令送信モジュールをさらに備える。
【００１５】
１つの実施例では、情報取得モジュールは、
第１のネットワーク接続情報からモバイル端末のマークを取得するように配置される第１の取得サブモジュールと、
第１の取得サブモジュールで取得されたモバイル端末のマークに基づいて予め設定されたバインディング関係からモバイル端末とバインディングされたモニターリング機器を検索するように配置される第１の検索サブモジュールと、
第１の検索サブモジュールで検索されたバインディングされたモニターリング機器へ第２のネットワーク接続情報取得指令を送信するように配置される情報取得指令送信サブモジュールと、
第１の検索サブモジュールで検索されたバインディングされたモニターリング機器から送信された第２のネットワーク接続情報を受信するように配置される情報受信サブモジュールと、を備える。
【００１６】
１つの実施例では、情報取得モジュールは、
第１のネットワーク接続情報からモバイル端末のマークを取得するように配置される第２の取得サブモジュールと、
第２の取得サブモジュールで取得されたモバイル端末のマークに基づいて予め設定されたバインディング関係からモバイル端末とバインディングされたモニターリング機器のマークを検索するように配置される第２の検索サブモジュールと、
第２の検索サブモジュールで検索されたマークに基づいて、モニターリング機器で予めアップロードされた第２のネットワーク接続情報を取得し、当該第２のネットワーク接続情報は、モニターリング機器が接続情報の変化を検出した時又は初回接続した時にアップロードされたものであるように配置される接続情報取得サブモジュールとを、さらに備える。
【００１７】
１つの実施例では、前記装置は、
モバイル端末又はモニターリング機器から送信された、モバイル端末のマーク及びモニターリング機器のマークを含むバインディング情報を受信するように配置されるバインディング情報受信モジュールと、
モバイル端末とモニターリング機器とのバインディング関係を保存するように配置されるバインディング関係保存モジュールと、をさらに備える。
【００１８】
本発明に係る実施例の第３の態様によれば、ビデオレコーディング装置を提供し、前記装置は、
プロセッサと、
プロセッサの実行可能な指令を記憶するためのメモリと、を備え、
当該プロセッサは、
モバイル端末から送信される第１のネットワーク接続情報を受信し、
第１のネットワーク接続情報に基づいてモバイル端末とバインディングされたモニターリング機器の第２のネットワーク接続情報を取得し、
第１のネットワーク接続情報と第２のネットワーク接続情報とがマッチングする場合、モニターリング機器へレコーディング停止指令を送信するように配置される。
【００１９】
本発明に係る実施例に提供された技術案では、次の有益な効果を果たすことができる。
【００２０】
モバイル端末から送信される第１のネットワーク接続情報を受信し、第１のネットワーク接続情報に基づいてモバイル端末とバインディングされたモニターリング機器の第２のネットワーク接続情報を取得し、第１のネットワーク接続情報と第２のネットワーク接続情報とがマッチングする場合、モニターリング機器へレコーディング停止指令を送信することにより、ユーザが家にいる時にも、モニターリング機器が依然としてレコーディングされたビデオをサーバーにアップロードすることになり、ユーザのプライバシーを侵害させてしまう恐れがある問題を解決し、ユーザが携帯するモバイル端末のネットワーク接続状態に基づいてユーザが家にいるか否かを判断し、ユーザが家にいる時にモニターリング機器へレコーディング停止指令を送信し、ユーザのプライバシーを保護する効果に達した。
【００２１】
上記の一般的な説明及び後述の詳細な説明は、例示的かつ解釈的なものに過ぎず、本発明を限定するものではないことを理解すべきである。
【図面の簡単な説明】
【００２２】
ここで、図面は明細書に組み込んで本明細書の一部とし、本発明に合致する実施例を示すとともに、明細書とともに本発明の原理を説明する。
【図１】本発明の各実施例に係る実施環境を示す環境模式図である。
【図２】例示的な実施例に係るビデオレコーディング方法を示す方法フローチャートである。
【図３Ａ】別の例示的な実施例に係るビデオレコーディング方法を示す方法フローチャートである。
【図３Ｂ】別の例示的な実施例に係るビデオレコーディング方法の実施模式図である。
【図３Ｃ】別の例示的な実施例に係るビデオレコーディング方法の実施模式図である。
【図３Ｄ】別の例示的な実施例に係るビデオレコーディング方法における第２のネットワーク接続情報を取得する過程を示す方法フローチャートである。
【図３Ｅ】別の例示的な実施例に係るビデオレコーディング方法における第２のネットワーク接続情報を取得する過程を示す方法フローチャートである。
【図３Ｆ】別の例示的な実施例に係るビデオレコーディング方法における機器情報を取得する過程を示す方法フローチャートである。
【図４】例示的な実施例に係るビデオレコーディング装置の構成を示すブロック図である。
【図５】別の例示的な実施例に係るビデオレコーディング装置の構成を示すブロック図である。
【図６】例示的な実施例に係るビデオレコーディング装置を示すブロック図である。
【００２３】
上記図面を通じて本発明の明確な実施例を例示し、以下にさらに詳しく記述する。これらの図面は、何らかの方法で本発明の思想の範囲を制限するのではなく、特定な実施例を参照することで当業者に本発明のコンセプトを説明するためのものである。
【発明を実施するための形態】
【００２４】
ここで、例示的実施例を詳しく説明し、その実施例は図面に示される。以下の説明は図面に係る場合、特別に示されない限り、異なる図面における同じ符号は同じ又は共通する要素を示す。本発明に合致するすべての実施の形態は、以下の例示的実施例で記述される実施の形態に限られない。逆に、以下の例示的実施例で記述される実施の形態は、特許請求の範囲に詳しく記述される、本発明のいくつかの形態に合致する装置及び方法の実例に過ぎない。
【００２５】
図１は、本発明の各実施例に係る実施環境を示す環境模式図であり、当該実施環境は、モニターリング機器１１０、モバイル端末１２０、ゲートウェイ機器１３０、及びサーバー１４０を備える。
【００２６】
モニターリング機器１１０は、ビデオモニターリングの機能を持っているモニターリング機器であり、例えば、一定の計算能力を有するような有線又は無線のスマートカメラであってもよい。
【００２７】
モニターリング機器１１０とゲートウェイ機器１３０との間は、有線又は無線ネットワークによって接続されている。
【００２８】
モバイル端末１２０は、例えば、スマートフォン、タブレットＰＣ、電子ブックリーダー、ＭＰ３（Ｍｏｖｉｎｇ  Ｐｉｃｔｕｒｅ  Ｅｘｐｅｒｔｓ  Ｇｒｏｕｐ  Ａｕｄｉｏ  Ｌａｙｅｒ  ＩＩＩ）プレーヤー、及びＭＰ４（Ｍｏｖｉｎｇ  Ｐｉｃｔｕｒｅ  Ｅｘｐｅｒｔｓ  Ｇｒｏｕｐ  Ａｕｄｉｏ  Ｌａｙｅｒ  ＩＶ）プレーヤーのような電子機器である。
【００２９】
モバイル端末１２０とゲートウェイ機器１３０との間は、有線又は無線ネットワークによって接続されている。
【００３０】
ゲートウェイ機器１３０は、データ処理能力を有する電子機器である。ゲートウェイ機器１３０は、ルーター、ソフトウェアでルーティング機能をオープンしたホスト、又は３層のスイッチング機能を持っているネットワークスイッチであってもよい。
【００３１】
ゲートウェイ機器１３０とサーバー１４０との間は、有線又は無線ネットワークによって接続されている。
【００３２】
サーバー１４０は、１つのサーバー、又は複数のサーバーからなるサーバー群、又は１つのクラウドコンピューティングサービスセンターであってもよい。
【００３３】
説明すべきことは、本発明により提供されたビデオレコーディング方法は、ゲートウェイ機器１３０又はサーバー１４０に用いられることができる。以下、説明を簡略化するために、ビデオレコーディング方法がサーバーに用いられることのみを例にして説明するが、これらの内容は、本発明を何ら限定するものではない。
【００３４】
図２は、例示的な実施例に係るビデオレコーディング方法を示す方法フローチャートであり、本実施例では、当該ビデオレコーディング方法が図１に示すサーバー１４０に用いられ、当該ビデオレコーディング方法は、以下のステップ２０２〜ステップ２０６を含んでもよい。
【００３５】
ステップ２０２において、モバイル端末から送信される第１のネットワーク接続情報を受信する。
【００３６】
ステップ２０４において、第１のネットワーク接続情報に基づいて、モバイル端末とバインディングされたモニターリング機器の第２のネットワーク接続情報を取得する。
【００３７】
ステップ２０６において、第１のネットワーク接続情報と第２のネットワーク接続情報とがマッチングする場合、モニターリング機器へレコーディング停止指令を送信する。
【００３８】
上記を纏めて言えば、当該例示的な実施例で提供されたビデオレコーディング方法は、モバイル端末から送信される第１のネットワーク接続情報を受信し、第１のネットワーク接続情報に基づいてモバイル端末とバインディングされたモニターリング機器の第２のネットワーク接続情報を取得し、第１のネットワーク接続情報と第２のネットワーク接続情報とがマッチングする場合、モニターリング機器へレコーディング停止指令を送信することにより、ユーザが家にいる時にも、モニターリング機器が依然としてレコーディングされたビデオをサーバーにアップロードすることになり、ユーザのプライバシーを侵害させてしまう恐れがある問題を解決し、ユーザが携帯するモバイル端末のネットワーク接続状態に基づいてユーザが家にいるか否かを判断し、ユーザが家にいる時にモニターリング機器へレコーディング停止指令を送信し、ユーザのプライバシーを保護する効果に達した。
【００３９】
図３Ａは、別の例示的な実施例に係るビデオレコーディング方法を示す方法フローチャートであり、本実施例では、当該ビデオレコーディング方法が図１に示すサーバー１４０に用いられ、当該ビデオレコーディング方法は、以下のステップ３０１〜ステップ３０７を含んでもよい。
【００４０】
ステップ３０１において、モバイル端末又はモニターリング機器から送信されたモバイル端末のマーク及びモニターリング機器のマークを含むバインディング情報を受信する。
【００４１】
サーバーがモバイル端末から送信されるネットワーク接続情報を受信した後、バインディングしたモニターリング機器のネットワーク接続情報を取得するために、サーバーは、モバイル端末とモニターリング機器とのバインディング関係を予め保存する必要がある。当該モバイル端末は、ユーザが身につけて携帯するモバイル端末である。サーバーは、モバイル端末又はモニターリング機器から送信されたバインディング情報を受信し、且つバインディング情報に付されたモバイル端末のマーク及びモニターリング機器のマークに基づいて、モバイル端末とモニターリング機器とのバインディング関係を保存してもよい。
【００４２】
一つの可能な実施形態において、モバイル端末は、モニターリング機器管理ソフトウェアを実行し、ユーザがバインディング関係機器のインターフェースに、バインディングする必要があるモニターリング機器のマークを入力し、モバイル端末が当該モニターリング機器のマークに基づいてサーバーへバインディング情報を送信し、当該バインディング情報には、モニターリング機器のマーク及び現在のモバイル端末のマークを付している。ここで、モニターリング機器のマークは、モニターリング機器におけるブルートゥース（Ｂｌｕｅｔｏｏｔｈ(登録商標)）モジュールのＭＡＣ（Ｍｅｄｉａ  Ａｃｃｅｓｓ  Ｃｏｎｔｒｏｌ）アドレスであってもよく、モバイル端末のマークは、モバイル端末におけるブルートゥース（Ｂｌｕｅｔｏｏｔｈ）モジュールのＭＡＣアドレス又はＩＭＥＩ（Ｉｎｔｅｒｎａｔｉｏｎａｌ  Ｍｏｂｉｌｅ  Ｅｑｕｉｐｍｅｎｔ  Ｉｄｅｎｔｉｔｙ）番号等であってもよい。
【００４３】
例えば、図３Ｂに示すように、ユーザがモバイル端末３１にインストールされたモニターリング機器管理ソフトウェアを実行し、モバイル端末３１は、モニターリング機器の上の二次元コードをスキャンしてモニターリング機器におけるブルートゥースモジュールのＭＡＣアドレスを取得し、且つバインディング関係設定インターフェース３２に、カメラ標識３３を表示し、ユーザーにより選択する。モバイル端末３１は、ユーザの選択に基づいて、ブルートゥースモジュールのＭＡＣアドレスを現在のモバイル端末３１のマークとともにサーバーへ送信する。
【００４４】
別の可能な実施形態において、モバイル端末は、モニターリング機器の管理ソフトウェアを実行し、ユーザがバインディング関係設定インターフェースに「検索」をクリックし、付近のモニターリング機器を検索し、且つモニターリング機器のリストに表示させる。ユーザがモニターリング機器のリストからモニターリング機器を選択してバインディングし、モバイル端末がユーザの選択に基づいて、現在のモバイル端末のマークを、選択したモニターリング機器のマークとともにサーバーへ送信する。説明すべきことは、モバイル端末が、選択したモニターリング機器とを無線接続し、且つモバイル端末のマークをモニターリング機器へ送信し、モニターリング機器により、モバイル端末のマーク及びモニターリング機器のマークをサーバーへ送信してもよい。
【００４５】
例えば、図３Ｃに示すように、モバイル端末３１は、モニターリング機器の管理ソフトウェアを実行し、ユーザがバインディング関係設定インターフェース３２に、「検索」ボタン３４をクリックし、付近のモニターリング機器を検索し、モニターリング機器のリストに表示させる。ユーザがモニターリング機器のリストから１つのモニターリング機器を選択し、「バインディング」ボタン３５をクリックし、モバイル端末又はモニターリング機器により、モバイル端末及びモニターリング機器のマークをサーバーへ送信する。
【００４６】
これに対応して、モバイル端末は、モバイル端末又はモニターリング機器から送信されたバインディング情報を受信する。
【００４７】
ステップ３０２において、モバイル端末とモニターリング機器とのバインディング関係を保存する。
【００４８】
サーバーは、モバイル端末又はモニターリング機器から送信されたバインディング情報を受信した後、当該バインディング情報に付されたモバイル端末のマーク及びモニターリング機器のマークに基づいて、モバイル端末とモニターリング機器とのバインディング関係を保存する。ここで、当該バインディング関係は、表構造（ｔａｂｌｅ  ｓｔｒｕｃｔｕｒｅ）が表１に示すようなバインディング関係表に保存される。
【００４９】
【表１】
2017510222.tif 000003
説明すべきことは、１つのモバイル端末が同時に複数のモニターリング機器とバインディングしてもよく、１つのモニターリング機器も同時に複数のモバイル端末とバインディングしてもよい。本発明では、１つのモバイル端末と１つのモニターリング機器とをバインディングすることのみを例として説明したが、本発明を限定するものではない。
【００５０】
ステップ３０３において、モバイル端末から送信される第１のネットワーク接続情報を受信する。
【００５１】
モバイル端末がモニターリング機器管理ソフトウェアをバックグランドで実行する場合、現在のネットワーク接続状態を自動的に検出することができ、Ｗｉ−Ｆｉと接続されたこと、又は、接続のＷｉ−Ｆｉが変化することを検出した場合、モバイル端末がサーバーへ現在のネットワーク接続情報、即ち第１のネットワーク接続情報を送信することができる。ここで、当該第１のネットワーク接続情報は、モバイル端末と接続するゲートウェイ機器のＭＡＣアドレス及びＳＳＩＤ（Ｓｅｒｖｉｃｅ  Ｓｅｔ  Ｉｄｅｎｔｉｆｉｅｒ）情報を含む。
【００５２】
これに対応して、サーバーは、モバイル端末から送信される第１のネットワーク接続情報を受信する。
【００５３】
ステップ３０４において、第１のネットワーク接続情報に基づいて、モバイル端末とバインディングされたモニターリング機器の第２のネットワーク接続情報を取得する。
【００５４】
サーバーは、受信された第１のネットワーク接続情報に付されたモバイル端末のマークに基づいて、当該モバイル端末とバインディングされたモニターリング機器のネットワーク接続情報を取得する。当該ステップは、下記の２つの可能な実現形態を含む。
【００５５】
第１の可能な実施形態では、図３Ｄに示すように、ステップ３０４は、ステップ３０４ａ〜ステップ３０４ｄを含んでもよい。
【００５６】
ステップ３０４ａにおいて、サーバーは、第１のネットワーク接続情報からモバイル端末のマークを取得する。
【００５７】
例えば、サーバーは、受信された第１のネットワーク接続情報からモバイル端末のブルートゥースモジュールのＭＡＣアドレスが００：１１：２２：ＡＡ：ＢＢであることを取得した。
【００５８】
ステップ３０４ｂにおいて、サーバーは、モバイル端末のマークに基づいて予め設定されたバインディング関係からモバイル端末とバインディングされたモニターリング機器を検索する。
【００５９】
サーバーは、取得されたモバイル端末のマークに基づいて、予め設定されたバインディング関係表から、当該モバイル端末とバインディングされたモニターリング機器のマークを検索する。例えば、取得された、モバイル端末におけるブルートゥースモジュールのＭＡＣアドレスである００：１１：２２：ＡＡ：ＢＢに基づいて、バインディング関係表から、バインディングされたモニターリング機器のマークが００：１１：２２：ＡＡ：ＣＣであることを検索する。
【００６０】
ステップ３０４ｃにおいて、サーバーは、バインディングされたモニターリング機器へ第２のネットワーク接続情報取得指令を送信する。
【００６１】
サーバーは、モバイル端末がバインディングしたモニターリング機器を検索した後、当該モニターリング機器へ第２のネットワーク接続情報取得指令を送信し、当該第２のネットワーク接続情報取得指令は、モニターリング機器の現在のネットワーク接続情報を取得するために用いられる。
【００６２】
これに対応して、モニターリング機器は、当該第２のネットワーク接続情報取得指令を受信する。モニターリング機器が当該指令を受信した後、現在のネットワーク接続情報、即ち、第２のネットワーク接続情報をサーバーへ送信し、ここで、当該第２のネットワーク接続情報は、モニターリング機器が接続するゲートウェイ機器のＭＡＣアドレス、及びＳＳＩＤ情報を含む。
【００６３】
ステップ３０４ｄにおいて、サーバーは、バインディングされたモニターリング機器から送信された第２のネットワーク接続情報を受信する。
【００６４】
サーバーは、受信された第２のネットワーク接続情報に基づいて、モニターリング機器の現在の接続しているゲートウェイ機器の情報を認識することができる。
【００６５】
第２の可能な実施形態では、図３Ｅに示すように、ステップ３０４は、ステップ３０４Ａ〜ステップ３０４Ｃを含んでもよい。
【００６６】
ステップ３０４Ａにおいて、サーバーは、第１のネットワーク接続情報からモバイル端末のマークを取得する。
【００６７】
例えば、サーバーは、受信された第１のネットワーク接続情報からモバイル端末のブルートゥースモジュールのＭＡＣアドレスが００：１１：２２：ＡＡ：ＢＢであることを取得する。
【００６８】
ステップ３０４Ｂにおいて、サーバーは、モバイル端末のマークに基づいて予め設定されたバインディング関係からモバイル端末とバインディングされたモニターリング機器のマークを検索する。
【００６９】
サーバーは、取得されたモバイル端末のマークに基づいて、予め設定されたバインディング関係表から、当該モバイル端末とバインディングされたモニターリング機器のマークを検索する。例えば、取得された、モバイル端末におけるブルートゥースモジュールのＭＡＣアドレスである００：１１：２２：ＡＡ：ＢＢに基づいて、バインディング関係表から、バインディングされたモニターリング機器のマークが００：１１：２２：ＡＡ：ＣＣであることを検索する。
【００７０】
ステップ３０４Ｃにおいて、サーバーは、マークに基づいて、モニターリング機器により予めアップロードされた第２のネットワーク接続情報を取得する。当該第２のネットワーク接続情報は、モニターリング機器が接続情報の変化を検出した時又は初回接続した時にアップロードされたものである。
【００７１】
モニターリング機器は、ネットワーク接続情報を検出するようになっており、ネットワーク接続情報が変化すること、又はモニターリング機器がネットワークを初回接続することを検出した場合、モニターリング機器は、現在のネットワーク接続情報を取得し、サーバーへアップロードする。説明すべきことは、モニターリング機器も、一定の時間おきに、サーバーへ現在のネットワーク接続情報をアップロードしてもよい。
【００７２】
サーバーは、当該ネットワーク接続情報を第２のネットワーク接続情報表に保存し、且つ表におけるデータをリアルタイムで更新する。ここで、第２のネットワーク接続情報表の表構造は、表２に示すようにしてもよい。
【００７３】
【表２】
2017510222.tif 000004
サーバーは、検索されたモバイル端末とバインディングされたモニターリング機器のマークに基づいて、当該モニターリング機器の現在のネットワーク接続情報を検索する。例えば、サーバーで検索された、モバイル端末とバインディングされたモニターリング機器のマークが００：１１：２２：ＡＡ：ＣＣであれば、第２のネットワーク接続情報表から、当該モニターリング機器の現在のネットワーク接続情報が「ＳＳＩＤ情報：ＳＳＩＤ  Ａ、ＭＡＣアドレス：ＭＡＣ  Ａ」であることを検索する。
【００７４】
ステップ３０５において、第１のネットワーク接続情報と第２のネットワーク接続情報とがマッチングする場合、モニターリング機器へレコーディング停止指令を送信する。
【００７５】
サーバーは、受信された第１のネットワーク接続情報及び取得された第２のネットワーク接続情報を検出し、第１のネットワーク接続情報と第２のネットワーク接続情報とがマッチングする場合、モバイル端末とモニターリング機器とが同一のゲートウェイ機器と接続されていることを特定し、モニターリング機器へレコーディング停止指令を送信する。図３Ｆに示すように、ステップ３０５は、ステップ３０５ａ〜ステップ３０５ｃを含んでもよい。
【００７６】
ステップ３０５ａにおいて、サーバーは、第１のネットワーク接続情報における第１の機器情報及び第２のネットワーク接続情報における第２の機器情報を取得する。当該第１の機器情報は、モバイル端末の接続するゲートウェイ機器の機器情報であり、当該第２の機器情報は、モニターリング機器の接続するゲートウェイ機器の機器情報である。
【００７７】
サーバーは、第１のネットワーク接続情報における第１の機器情報を取得し、当該第１の機器情報は、モバイル端末の接続するゲートウェイ機器のＭＡＣアドレス、及びＳＳＩＤ情報を含み、例えば、当該第１の機器情報は、「ＳＳＩＤ情報：ＳＳＩＤ  Ａ、ＭＡＣアドレス：ＭＡＣ  Ａ」である。
【００７８】
同様に、サーバーは、第２のネットワーク接続情報における第２の機器情報を取得する。当該ゲートウェイ機器がインターネット回線によりゲートウェイ機器と接続される場合、第２の機器情報は、ゲートウェイ機器のＭＡＣアドレスを含み、当該ゲートウェイ機器が無線ネットワークによりゲートウェイ機器と接続される場合、第２の機器情報は、ゲートウェイ機器のＭＡＣアドレス及びＳＳＩＤ情報を含む。
【００７９】
ステップ３０５ｂにおいて、サーバーは、第１の機器情報と第２の機器情報とが同じであるか否かを検出する。
【００８０】
モニターリング機器がインターネット回線によりゲートウェイ機器と接続される場合、サーバーは、モバイル端末とモニターリング機器との接続するゲートウェイ機器のＭＡＣアドレスが同じであるか否かを検出する。両方のＭＡＣアドレスが同じである場合、モバイル端末とモニターリング機器とが同一のゲートウェイ機器と接続されており、両方のＭＡＣアドレスが異なる場合、モバイル端末とモニターリング機器とが同一のゲートウェイ機器と接続されていない。
【００８１】
モニターリング機器が無線ネットワークによりゲートウェイ機器と接続される場合、サーバーは、モバイル端末とモニターリング機器との接続するゲートウェイ機器のＳＳＩＤ情報が同じであるか否かを検出する。両方のゲートウェイ機器のＳＳＩＤ情報が異なる場合、モバイル端末とモニターリング機器とが同一のゲートウェイ機器と接続されていない。ここで、異なるゲートウェイ機器に同一のＳＳＩＤ情報が設定された可能性があるため、両方のゲートウェイ機器のＳＳＩＤ情報が同じである場合、サーバーは、さらに、モバイル端末とモニターリング機器との接続するゲートウェイ機器のＭＡＣアドレスが同じであるか否かを検出する。両方のＭＡＣアドレスが同じである場合、モバイル端末とモニターリング機器とが同一のゲートウェイ機器と接続されており、両方のＭＡＣアドレスが異なる場合、モバイル端末とモニターリング機器とが同一のゲートウェイ機器と接続されていない。
【００８２】
ステップ３０５ｃにおいて、第１の機器情報と第２の機器情報とが同じであることを検出した場合、サーバーは、モニターリング機器へレコーディング停止指令を送信する。
【００８３】
第１の機器情報と第２の機器情報とが同じであることを検出した場合、サーバーは、モニターリング機器へレコーディング停止指令を送信する。当該レコーディング停止指令は、モニターリング機器を、モニターリングを停止するように制御するために用いられる。これに対応して、モニターリング機器は、当該指令に基づいてモニターリングを停止する。
【００８４】
ステップ３０６において、第１の機器情報と第２の機器情報とが異なることを検出した場合、モニターリング機器へビデオレコーディング指令を送信する。
【００８５】
第１の機器情報と第２の機器情報とが異なることを検出した場合、サーバーは、モバイル端末とモニターリング機器とが同一のゲートウェイ機器と接続されておらず、モニターリング機器のモニターリングによりユーザのプライバシーを侵害することにならないと認識し、モニターリング機器へビデオレコーディング指令を送信する。
【００８６】
ステップ３０７において、モバイル端末が接続を切断することを検出した場合、モニターリング機器へビデオレコーディング指令を送信する。
【００８７】
モバイル端末が接続を切断する場合、サーバーへ接続切断情報を送信し、モバイル端末が如何なるゲートウェイ機器と接続されていないことを、サーバーに通知する。サーバーは、当該接続切断情報を受信した後、モニターリング機器へビデオレコーディング指令を送信し、モニターリングし得ることをモニターリング機器に通知する。
【００８８】
上記を纏めて言えば、当該例示的な実施例で提供されたビデオレコーディング方法は、モバイル端末から送信される第１のネットワーク接続情報を受信し、第１のネットワーク接続情報に基づいてモバイル端末とバインディングされたモニターリング機器の第２のネットワーク接続情報を取得し、第１のネットワーク接続情報と第２のネットワーク接続情報とがマッチングする場合、モニターリング機器へレコーディング停止指令を送信することにより、ユーザが家にいる時にも、モニターリング機器が依然としてレコーディングされたビデオをサーバーにアップロードすることになり、ユーザのプライバシーを侵害させてしまう恐れがある問題を解決し、ユーザが携帯するモバイル端末のネットワーク接続状態に基づいてユーザが家にいるか否かを判断し、ユーザが家にいる時にモニターリング機器へレコーディング停止指令を送信し、ユーザのプライバシーを保護する効果に達した。
【００８９】
当該例示的な実施例では、さらに、モニターリング機器により第２のネットワーク接続情報をアップロードし、又はサーバーによりモニターリング機器に第２のネットワーク接続情報を問い合わせ、サーバーは、当該第２のネットワーク接続情報及びモバイル端末から送信される第１のネットワーク接続情報に基づいて、モバイル端末とモニターリング機器との接続するゲートウェイ機器が同じであるか否かを判断し、且つ判断の結果に基づいてモニターリング機器へ相応の指令を送信し、これにより、第２のネットワーク接続情報の正確性を向上させ、ビデオモニターリングの即時性を向上させる効果に達した。
【００９０】
説明すべきことは、当該例示的な実施例に係るビデオレコーディング方法は、さらに、ゲートウェイ機器１３０により実行することができ、即ち、ゲートウェイ機器１３０に、モバイル端末とモニターリング機器とのバインディング関係を保存しており、ゲートウェイ機器１３０は、受信された第１のネットワーク接続情報に基づいて、モバイル端末とバインディングされたモニターリング機器の第２のネットワーク接続情報を取得し、第１のネットワーク接続情報と第２のネットワーク接続情報とがマッチングする場合、モニターリング機器へレコーディング停止指令を送信する。その実現形態は、上記実施例と類似しており、ここで、具体的な説明を省略する。
【００９１】
以下は、本発明に係る装置の実施例であり、本発明に係る方法の実施例を実行するために用いられてもよい。本発明に係る装置の実施例に記載されない詳細について、本発明に係る方法の実施例を参照することができる。
【００９２】
図４は、例示的な実施例に係るビデオレコーディング装置の構成を示すブロック図であり、当該ビデオレコーディング装置は、ソフトウェア、ハードウェア又は両方の組み合わせにより、サーバーの一部又は全部になるように実現することができる。当該ビデオレコーディング装置は、
モバイル端末から送信される第１のネットワーク接続情報を受信するように配置される第１の受信モジュール４０２と、
第１の受信モジュール４０２で受信された第１のネットワーク接続情報に基づいてモバイル端末とバインディングされたモニターリング機器の第２のネットワーク接続情報を取得するように配置される情報取得モジュール４０４と、
第１の受信モジュール４０２で受信された第１のネットワーク接続情報と、情報取得モジュール４０４で取得された第２のネットワーク接続情報とがマッチングする場合、モニターリング機器へレコーディング停止指令を送信するように配置される停止指令送信モジュール４０６と、を備えてもよい。
【００９３】
上記を纏めて言えば、当該例示的な実施例で提供されたビデオレコーディング装置は、モバイル端末から送信される第１のネットワーク接続情報を受信し、第１のネットワーク接続情報に基づいてモバイル端末とバインディングされたモニターリング機器の第２のネットワーク接続情報を取得し、第１のネットワーク接続情報と第２のネットワーク接続情報とがマッチングする場合、モニターリング機器へレコーディング停止指令を送信することにより、ユーザが家にいる時にも、モニターリング機器が依然としてレコーディングされたビデオをサーバーにアップロードすることになり、ユーザのプライバシーを侵害させてしまう恐れがある問題を解決し、ユーザが携帯するモバイル端末のネットワーク接続状態に基づいてユーザが家にいるか否かを判断し、ユーザが家にいる時にモニターリング機器へレコーディング停止指令を送信し、ユーザのプライバシーを保護する効果に達した。
【００９４】
図５は、例示的な実施例に係るビデオレコーディング装置の構成を示すブロック図であり、当該ビデオレコーディング装置は、ソフトウェア、ハードウェア又は両方の組み合わせにより、サーバーの一部又は全部になるように実現することができる。当該ビデオレコーディング装置は、
モバイル端末から送信される第１のネットワーク接続情報を受信するように配置される第１の受信モジュール５０２と、
第１の受信モジュール５０２で受信された第１のネットワーク接続情報に基づいてモバイル端末とバインディングされたモニターリング機器の第２のネットワーク接続情報を取得するように配置される情報取得モジュール５０４と、
第１の受信モジュール５０２で受信された第１のネットワーク接続情報と、情報取得モジュール５０４で取得された第２のネットワーク接続情報とがマッチングする場合、モニターリング機器へレコーディング停止指令を送信するように配置される停止指令送信モジュール５０６と、を備えてもよい。
【００９５】
選択的に、停止指令送信モジュール５０６は、
第１のネットワーク接続情報における、モバイル端末の接続するゲートウェイ機器の機器情報である第１の機器情報及び第２のネットワーク接続情報における、モニターリング機器の接続するゲートウェイ機器の機器情報である第２の機器情報を取得するように配置される機器情報取得サブモジュール５０６ａと、
機器情報取得サブモジュール５０６ａで取得された第１の機器情報と第２の機器情報とが同じか否かを検出するように配置される機器情報検出サブモジュール５０６ｂと、
機器情報検出サブモジュール５０６ｂにより、第１の機器情報と第２の機器情報とが同じであることを検出した場合、モニターリング機器へレコーディング停止指令を送信するように配置される停止指令送信サブモジュール５０６ｃと、を備える。
【００９６】
選択的に、当該装置は、
機器情報検出サブモジュール５０６ｂにより、第１の機器情報と第２の機器情報とが異なることを検出した場合、モニターリング機器へビデオレコーディング指令を送信するように配置される第１の指令送信モジュール５０７、
又は、
機器情報検出サブモジュール５０６ｂにより、モバイル端末が接続を切断することを検出した場合、モニターリング機器へビデオレコーディング指令を送信するように配置される第２の指令送信モジュール５０８を、さらに備える。
【００９７】
選択的に、情報取得モジュール５０４は、
第１のネットワーク接続情報からモバイル端末のマークを取得するように配置される第１の取得サブモジュール５０４ａと、
第１の取得サブモジュール５０４ａで取得されたモバイル端末のマークに基づいて予め設定されたバインディング関係からモバイル端末とバインディングされたモニターリング機器を検索するように配置される第１の検索サブモジュール５０４ｂと、
第１の検索サブモジュール５０４ｂで検索されたバインディングされたモニターリング機器へ第２のネットワーク接続情報取得指令を送信するように配置される情報取得指令送信サブモジュール５０４ｃと、
第１の検索サブモジュール５０４ｂで検索されたバインディングされたモニターリング機器から送信された第２のネットワーク接続情報を受信するように配置される情報受信サブモジュール５０４ｄと、を備える。
【００９８】
選択的に、情報取得モジュール５０４は、
第１のネットワーク接続情報からモバイル端末のマークを取得するように配置される第２の取得サブモジュール５０４ｅと、
第２の取得サブモジュール５０４ｅで取得されたモバイル端末のマークに基づいて予め設定されたバインディング関係からモバイル端末とバインディングされたモニターリング機器のマークを検索するように配置される第２の検索サブモジュール５０４ｆと、
第２の検索サブモジュール５０４ｆで検索されたマークに基づいて、モニターリング機器で予めアップロードされた第２のネットワーク接続情報を取得し、当該第２のネットワーク接続情報は、モニターリング機器が接続情報の変化を検出した時又は初回接続した時にアップロードされたものであるように配置される接続情報取得サブモジュール５０４ｇとを、さらに備える。
【００９９】
選択的に、当該装置は、
モバイル端末又はモニターリング機器から送信された、モバイル端末のマーク及びモニターリング機器のマークを含むバインディング情報を受信するように配置されるバインディング情報受信モジュール５０９と、
モバイル端末とモニターリング機器とのバインディング関係を保存するように配置されるバインディング関係保存モジュール５１０とを、さらに備える。
【０１００】
上記を纏めて言えば、当該例示的な実施例で提供されたビデオレコーディング装置は、モバイル端末から送信される第１のネットワーク接続情報を受信し、第１のネットワーク接続情報に基づいてモバイル端末とバインディングされたモニターリング機器の第２のネットワーク接続情報を取得し、第１のネットワーク接続情報と第２のネットワーク接続情報とがマッチングする場合、モニターリング機器へレコーディング停止指令を送信することにより、ユーザが家にいる時にも、モニターリング機器が依然としてレコーディングされたビデオをサーバーにアップロードすることになり、ユーザのプライバシーを侵害させてしまう恐れがある問題を解決し、ユーザが携帯するモバイル端末のネットワーク接続状態に基づいてユーザが家にいるか否かを判断し、ユーザが家にいる時にモニターリング機器へレコーディング停止指令を送信し、ユーザのプライバシーを保護する効果に達した。
【０１０１】
当該例示的な実施例では、さらに、モニターリング機器により第２のネットワーク接続情報をアップロードし、又はサーバーによりモニターリング機器に第２のネットワーク接続情報を問い合わせ、サーバーは、当該第２のネットワーク接続情報及びモバイル端末から送信される第１のネットワーク接続情報に基づいて、モバイル端末とモニターリング機器との接続するゲートウェイ機器が同じであるか否かを判断し、且つ判断の結果に基づいてモニターリング機器へ相応の指令を送信し、これにより、第２のネットワーク接続情報の正確性を向上させ、ビデオモニターリングの即時性を向上させる効果に達した。
【０１０２】
上記の実施例に係る装置について、各ユニットが操作を実行する具体的な形態は、すでに該当する方法に係る実施例において詳細に記載され、ここで、詳細に説明しない。
【０１０３】
図６は、例示的な実施例に係るビデオレコーディング装置を示すブロック図である。装置６００は、１つ又は複数のプロセッサを含むプロセスアセンブリ６２２と、プロセスアセンブリ６２２で実行可能な指令、例えばアプリプログラムを記憶するメモリ６３２で代表されたメモリリソースを備える。メモリ６３２に記憶されたアプリプログラムは、１つ又は１つ以上の、それぞれ１セットの指令に対応するモジュールを備える。なお、プロセスアセンブリ６２２は、指令を実行して上記サーバー側のビデオレコーディング方法を実行するように配置される。
【０１０４】
装置６００は、さらに、装置６００の電源管理を実行するように配置される電源アセンブリ６２６と、装置６００とネットワークとを接続するように配置される有線又は無線のネットワークインターフェース６５０と、入出力（Ｉ／Ｏ）インターフェース６５８を備えてもよい。装置６００は、メモリ６３２に記憶されたオペレーティングシステム（ＯＳ：Ｏｐｅｒａｔｉｎｇ  Ｓｙｓｔｅｍ）、例えば、Ｗｉｎｄｏｗｓ  ＳｅｒｖｅｒＴＭ、Ｍａｃ  ＯＳ  ＸＴＭ、ＵｎｉｘＴＭ、ＬｉｎｕｘＴＭ、ＦｒｅｅＢＳＤＴＭ又は類似しているものにより動作することができる。
【０１０５】
当業者にとって、明細書を考慮してこの発明を実施した後、本発明のその他の実施の形態を容易に想到し得ることができる。本願は、本発明のいかなる変形、用途又は適応的変化をカバーすることを目的とし、これら変形、用途又は適応的変化は、本発明の一般的原理に従うとともに、本発明に開示されていない本技術分野における公知の常識又は慣用の技術手段を含む。明細書及び実施例は、例示的なものに過ぎず、本発明の本当の範囲及び主旨は、特許請求の範囲に含まれる。
【０１０６】
本発明は、以上のように説明すると共に図面に示された正確な構造に限られず、その要旨を逸脱しない範囲内で各種の補正及び変更を行うことができると理解すべきである。本発明の範囲は、特許請求の範囲のみで限定される。
【０１０７】
本願は、出願番号がＣＮ２０１４１０８５２２７１．Ｘであって、出願日が２０１４年１２月３１日である中国特許出願に基づき優先権を主張し、当該中国特許出願のすべての内容を本願に援用する。
【図１】
2017510222.tif 000005
【図２】
2017510222.tif 000006
【図３Ａ】
2017510222.tif 000007
【図３Ｂ】
2017510222.tif 000008
【図３Ｃ】
2017510222.tif 000009
【図３Ｄ】
2017510222.tif 000010
【図３Ｅ】
2017510222.tif 000011
【図３Ｆ】
2017510222.tif 000012
【図４】
2017510222.tif 000013
【図５】
2017510222.tif 000014
【図６】
2017510222.tif 000015
【手続補正書】
【提出日】平成27年6月26日(2015.6.26)
【手続補正１】
【補正対象書類名】特許請求の範囲
【補正対象項目名】全文
【補正方法】変更
【補正の内容】
【特許請求の範囲】
【請求項１】
モバイル端末から送信される第１のネットワーク接続情報を受信するステップと、
前記第１のネットワーク接続情報に基づいて前記モバイル端末とバインディングされたモニターリング機器の第２のネットワーク接続情報を取得するステップと、
前記第１のネットワーク接続情報と前記第２のネットワーク接続情報とがマッチングする場合、前記モニターリング機器へレコーディング停止指令を送信するステップと、を含むことを特徴とする、
ビデオレコーディング方法。
【請求項２】
前記第１のネットワーク接続情報と前記第２のネットワーク接続情報とがマッチングする場合、前記モニターリング機器へレコーディング停止指令を送信するステップは、
前記第１のネットワーク接続情報における、前記モバイル端末の接続するゲートウェイ機器の機器情報である第１の機器情報及び前記第２のネットワーク接続情報における、前記モニターリング機器の接続するゲートウェイ機器の機器情報である第２の機器情報を取得するステップと、
前記第１の機器情報と前記第２の機器情報とが同じであるか否かを検出するステップと、
前記第１の機器情報と前記第２の機器情報とが同じであることを検出した場合、前記モニターリング機器へレコーディング停止指令を送信するステップと、を含むことを特徴とする、
請求項１に記載の方法。
【請求項３】
前記第１の機器情報と前記第２の機器情報とが異なることを検出した場合、前記モニターリング機器へビデオレコーディング指令を送信するステップ、
又は、
前記モバイル端末が接続を切断することを検出した場合、前記モニターリング機器へ前記ビデオレコーディング指令を送信するステップをさらに含むことを特徴とする、
請求項２に記載の方法。
【請求項４】
前記第１のネットワーク接続情報に基づいて前記モバイル端末とバインディングされたモニターリング機器の第２のネットワーク接続情報を取得するステップは、
前記第１のネットワーク接続情報から前記モバイル端末のマークを取得するステップと、
前記モバイル端末のマークに基づいて予め設定されたバインディング関係から前記モバイル端末とバインディングされたモニターリング機器を検索するステップと、
バインディングされた前記モニターリング機器へ第２のネットワーク接続情報取得指令を送信するステップと、
バインディングされた前記モニターリング機器から送信された前記第２のネットワーク接続情報を受信するステップと、を含むことを特徴とする、
請求項１〜３のいずれの１項に記載の方法。
【請求項５】
前記第１のネットワーク接続情報に基づいて前記モバイル端末とバインディングされたモニターリング機器の第２のネットワーク接続情報を取得するステップは、
前記第１のネットワーク接続情報から前記モバイル端末のマークを取得するステップと、
前記モバイル端末のマークに基づいて予め設定されたバインディング関係から前記モバイル端末とバインディングされたモニターリング機器のマークを検索するステップと、
前記マークに基づいて、前記モニターリング機器で予めアップロードされた前記第２のネットワーク接続情報を取得し、前記第２のネットワーク接続情報は、前記モニターリング機器が接続情報の変化を検出した時又は初回接続した時にアップロードされたものであるステップとを、さらに含むことを特徴とする、
請求項１〜３のいずれの１項に記載の方法。
【請求項６】
前記モバイル端末又は前記モニターリング機器から送信された、バイル端末のマーク及び前記モニターリング機器のマークを含むバインディング情報を受信するステップと、
前記モバイル端末と前記モニターリング機器とのバインディング関係を保存するステップとを、さらに含むことを特徴とする、
請求項１〜５のいずれか１項に記載の方法。
【請求項７】
モバイル端末から送信される第１のネットワーク接続情報を受信するように配置される第１の受信モジュールと、
前記第１の受信モジュールで受信された前記第１のネットワーク接続情報に基づいて前記モバイル端末とバインディングされたモニターリング機器の第２のネットワーク接続情報を取得するように配置される情報取得モジュールと、
前記第１の受信モジュールで受信された前記第１のネットワーク接続情報と、前記情報取得モジュールで取得された前記第２のネットワーク接続情報とがマッチングする場合、前記モニターリング機器へレコーディング停止指令を送信するように配置される停止指令送信モジュールと、を備えることを特徴とする、
ビデオレコーディング装置。
【請求項８】
前記停止指令送信モジュールは、
前記第１のネットワーク接続情報における、前記モバイル端末の接続するゲートウェイ機器の機器情報である第１の機器情報及び前記第２のネットワーク接続情報における、前記モニターリング機器の接続するゲートウェイ機器の機器情報である第２の機器情報を取得するように配置される機器情報取得サブモジュールと、
前記機器情報取得サブモジュールで取得された前記第１の機器情報と前記第２の機器情報とが同じであるか否かを検出するように配置される機器情報検出サブモジュールと、
前記機器情報検出サブモジュールにより、前記第１の機器情報と前記第２の機器情報とが同じであることを検出した場合、前記モニターリング機器へレコーディング停止指令を送信するように配置される停止指令送信サブモジュールと、を備えることを特徴とする、
請求項７に記載の装置。
【請求項９】
前記機器情報検出サブモジュールにより、前記第１の機器情報と前記第２の機器情報とが異なることを検出した場合、前記モニターリング機器へビデオレコーディング指令を送信するように配置される第１の指令送信モジュール、
又は、
前記機器情報検出サブモジュールにより、前記モバイル端末が接続を切断することを検出した場合、前記モニターリング機器へ前記ビデオレコーディング指令を送信するように配置される第２の指令送信モジュール、をさらに備えることを特徴とする、
請求項８に記載の装置。
【請求項１０】
前記情報取得モジュールは、
前記第１のネットワーク接続情報から前記モバイル端末のマークを取得するように配置される第１の取得サブモジュールと、
前記第１の取得サブモジュールで取得された前記モバイル端末のマークに基づいて予め設定されたバインディング関係から前記モバイル端末とバインディングされたモニターリング機器を検索するように配置される第１の検索サブモジュールと、
第１の検索サブモジュールで検索されたバインディングされた前記モニターリング機器へ第２のネットワーク接続情報取得指令を送信するように配置される情報取得指令送信サブモジュールと、
前記第１の検索サブモジュールで検索されたバインディングされた前記モニターリング機器から送信された前記第２のネットワーク接続情報を受信するように配置される情報受信サブモジュールと、を備えることを特徴とする、
請求項７〜９のいずれか１項に記載の装置。
【請求項１１】
前記情報取得モジュールは、
前記第１のネットワーク接続情報から前記モバイル端末のマークを取得するように配置される第２の取得サブモジュールと、
前記第２の取得サブモジュールで取得された前記モバイル端末のマークに基づいて予め設定されたバインディング関係から前記モバイル端末とバインディングされたモニターリング機器のマークを検索するように配置される第２の検索サブモジュールと、
前記第２の検索サブモジュールで検索された前記マークに基づいて、前記モニターリング機器で予めアップロードされた前記第２のネットワーク接続情報を取得し、前記第２のネットワーク接続情報は、前記モニターリング機器が接続情報の変化を検出した時又は初回接続した時にアップロードされたものであるように配置される接続情報取得サブモジュールとを、さらに備えることを特徴とする、
請求項７〜９のいずれか１項に記載の装置。
【請求項１２】
前記モバイル端末又は前記モニターリング機器から送信された、前記モバイル端末のマーク及び前記モニターリング機器のマークを含むバインディング情報を受信するように配置されるバインディング情報受信モジュールと、
前記モバイル端末と前記モニターリング機器とのバインディング関係を保存するように配置されるバインディング関係保存モジュールとを、さらに備えることを特徴とする、
請求項７〜１１のいずれか１項に記載の装置。
【請求項１３】
プロセッサと、
前記プロセッサが実行可能な指令を記憶するためのメモリと、を備え、
前記プロセッサは、
モバイル端末から送信される第１のネットワーク接続情報を受信し、
前記第１のネットワーク接続情報に基づいて前記モバイル端末とバインディングされたモニターリング機器の第２のネットワーク接続情報を取得し、
前記第１のネットワーク接続情報と前記第２のネットワーク接続情報とがマッチングする場合、前記モニターリング機器へレコーディング停止指令を送信するように配置されることを特徴とする、
ビデオレコーディング装置。
【請求項１４】
プロセッサに実行されることにより、請求項１〜６のいずれかに記載のビデオレコーディング方法を実現することを特徴とするプログラム。
【請求項１５】
請求項１４に記載のプログラムが記録された記録媒体。
【手続補正２】
【補正対象書類名】明細書
【補正対象項目名】全文
【補正方法】変更
【補正の内容】
【発明の詳細な説明】
【技術分野】
【０００１】
本発明は、スマート機器の分野に関し、特に、ビデオレコーディング方法、装置、プログラム及び記録媒体に関する。
【背景技術】
【０００２】
スマート機器の発展に伴い、スマートカメラを用いて家の中の情況に対してモニターリングし始めるユーザは、ますます多くなってきた。
【０００３】
スマートカメラは、内蔵のＷｉ−Ｆｉ（Ｗｉｒｅｌｅｓｓ−Ｆｉｄｅｌｉｔｙ）モジュールにより、家におけるルーターと接続され、且つ、当該ルーターにより、スマートカメラでレコーディングされたビデオを、サーバーにアップロードする。ユーザは、家にいない時に、スマートフォンにより、当該サーバーにおけるビデオを取得して家における状況を調べることができる。
【０００４】
本発明を実現する過程において、発明者は、少なくとも、以下の欠陥、即ち、ユーザが家にいる時にも、スマートカメラは、依然としてレコーディングされたビデオをサーバーにアップロードすることになり、ユーザのプライバシーを侵害させてしまう恐れがあるという欠陥を見出した。
【発明の概要】
【０００５】
関連技術において、ユーザーが家にいる時にも、スマートカメラが依然としてレコーディングされたビデオをサーバーにアップロードすることになり、ユーザのプライバシーを侵害させてしまう恐れがあるという問題を解決するために、本発明の実施例では、ビデオレコーディング方法、装置、プログラム及び記録媒体を提供した。前記技術案は、次の通りである。
【０００６】
本発明に係る実施例の第１の態様によれば、本発明は、ビデオレコーディング方法を提供し、前記方法は、
モバイル端末から送信される第１のネットワーク接続情報を受信するステップと、
第１のネットワーク接続情報に基づいてモバイル端末とバインディングされたモニターリング機器の第２のネットワーク接続情報を取得するステップと、
第１のネットワーク接続情報と第２のネットワーク接続情報とがマッチングする場合、モニターリング機器へレコーディング停止指令を送信するステップと、を含む。
【０００７】
１つの実施例では、第１のネットワーク接続情報と第２のネットワーク接続情報とがマッチングする場合、モニターリング機器へレコーディング停止指令を送信するステップは、
第１のネットワーク接続情報におけるモバイル端末の接続するゲートウェイ機器の機器情報である第１の機器情報及び第２のネットワーク接続情報におけるモニターリング機器の接続するゲートウェイ機器の機器情報である第２の機器情報を取得するステップと、
第１の機器情報と前記第２の機器情報とが同一か否かを検出するステップと、
第１の機器情報と第２の機器情報とが同じであることを検出した場合、モニターリング機器へレコーディング停止指令を送信するステップと、を含む。
【０００８】
１つの実施例では、前記方法は、
第１の機器情報と第２の機器情報とが異なることを検出した場合、モニターリング機器へビデオレコーディング指令を送信するステップ、
又は、
モバイル端末が接続を切断することを検出した場合、モニターリング機器へビデオレコーディング指令を送信するステップをさらに含む。
【０００９】
１つの実施例では、第１のネットワーク接続情報に基づいてモバイル端末とバインディングされたモニターリング機器の第２のネットワーク接続情報を取得するステップは、
第１のネットワーク接続情報からモバイル端末のマークを取得するステップと、
モバイル端末のマークに基づいて予め設定されたバインディング関係からモバイル端末とバインディングされたモニターリング機器を検索するステップと、
バインディングされたモニターリング機器へ第２のネットワーク接続情報取得指令を送信するステップと、
バインディングされたモニターリング機器から送信された第２のネットワーク接続情報を受信するステップと、を含む。
【００１０】
１つの実施例では、第１のネットワーク接続情報に基づいてモバイル端末とバインディングされたモニターリング機器の第２のネットワーク接続情報を取得するステップは、
第１のネットワーク接続情報からモバイル端末のマークを取得するステップと、
モバイル端末のマークに基づいて予め設定されたバインディング関係からモバイル端末とバインディングされたモニターリング機器のマークを検索するステップと、
マークに基づいて、モニターリング機器で予めアップロードされた第２のネットワーク接続情報を取得し、当該第２のネットワーク接続情報は、モニターリング機器が接続情報の変化を検出した時又は初回接続した時にアップロードされたものであるステップとを、さらに含む。
【００１１】
１つの実施例では、前記方法は、
モバイル端末又はモニターリング機器から送信されたモバイル端末のマーク及びモニターリング機器のマークを含むバインディング情報を受信するステップと、
モバイル端末とモニターリング機器とのバインディング関係を保存するステップと、をさらに含む。
【００１２】
本発明に係る実施例の第２の態様によれば、ビデオレコーディング装置を提供し、前記装置は、
モバイル端末から送信される第１のネットワーク接続情報を受信するように配置される第１の受信モジュールと、
第１の受信モジュールで受信された第１のネットワーク接続情報に基づいてモバイル端末とバインディングされたモニターリング機器の第２のネットワーク接続情報を取得するように配置される情報取得モジュールと、
第１の受信モジュールで受信された第１のネットワーク接続情報と、情報取得モジュールで取得された第２のネットワーク接続情報とがマッチングする場合、モニターリング機器へレコーディング停止指令を送信するように配置される停止指令送信モジュールと、を備える。
【００１３】
１つの実施例では、停止指令送信モジュールは、
第１のネットワーク接続情報におけるモバイル端末の接続するゲートウェイ機器の機器情報である第１の機器情報及び第２のネットワーク接続情報におけるモニターリング機器の接続するゲートウェイ機器の機器情報である第２の機器情報を取得するように配置される機器情報取得サブモジュールと、
機器情報取得サブモジュールで取得された第１の機器情報と第２の機器情報とが同じであるか否かを検出するように配置される機器情報検出サブモジュールと、
機器情報検出サブモジュールにより、第１の機器情報と第２の機器情報とが同じであることを検出した場合、モニターリング機器へレコーディング停止指令を送信するように配置される停止指令送信サブモジュールと、を備える。
【００１４】
１つの実施例では、前記装置は、
機器情報検出サブモジュールにより、第１の機器情報と第２の機器情報とが異なることを検出した場合、モニターリング機器へビデオレコーディング指令を送信するように配置される第１の指令送信モジュール、
又は、
機器情報検出サブモジュールにより、モバイル端末が接続を切断することを検出した場合、モニターリング機器へビデオレコーディング指令を送信するように配置される第２の指令送信モジュールをさらに備える。
【００１５】
１つの実施例では、情報取得モジュールは、
第１のネットワーク接続情報からモバイル端末のマークを取得するように配置される第１の取得サブモジュールと、
第１の取得サブモジュールで取得されたモバイル端末のマークに基づいて予め設定されたバインディング関係からモバイル端末とバインディングされたモニターリング機器を検索するように配置される第１の検索サブモジュールと、
第１の検索サブモジュールで検索されたバインディングされたモニターリング機器へ第２のネットワーク接続情報取得指令を送信するように配置される情報取得指令送信サブモジュールと、
第１の検索サブモジュールで検索されたバインディングされたモニターリング機器から送信された第２のネットワーク接続情報を受信するように配置される情報受信サブモジュールと、を備える。
【００１６】
１つの実施例では、情報取得モジュールは、
第１のネットワーク接続情報からモバイル端末のマークを取得するように配置される第２の取得サブモジュールと、
第２の取得サブモジュールで取得されたモバイル端末のマークに基づいて予め設定されたバインディング関係からモバイル端末とバインディングされたモニターリング機器のマークを検索するように配置される第２の検索サブモジュールと、
第２の検索サブモジュールで検索されたマークに基づいて、モニターリング機器で予めアップロードされた第２のネットワーク接続情報を取得し、当該第２のネットワーク接続情報は、モニターリング機器が接続情報の変化を検出した時又は初回接続した時にアップロードされたものであるように配置される接続情報取得サブモジュールとを、さらに備える。
【００１７】
１つの実施例では、前記装置は、
モバイル端末又はモニターリング機器から送信された、モバイル端末のマーク及びモニターリング機器のマークを含むバインディング情報を受信するように配置されるバインディング情報受信モジュールと、
モバイル端末とモニターリング機器とのバインディング関係を保存するように配置されるバインディング関係保存モジュールと、をさらに備える。
【００１８】
本発明に係る実施例の第３の態様によれば、ビデオレコーディング装置を提供し、前記装置は、
プロセッサと、
プロセッサの実行可能な指令を記憶するためのメモリと、を備え、
当該プロセッサは、
モバイル端末から送信される第１のネットワーク接続情報を受信し、
第１のネットワーク接続情報に基づいてモバイル端末とバインディングされたモニターリング機器の第２のネットワーク接続情報を取得し、
第１のネットワーク接続情報と第２のネットワーク接続情報とがマッチングする場合、モニターリング機器へレコーディング停止指令を送信するように配置される。
本発明に係る実施例の第４の態様によれば、プロセッサに実行されることにより、前記のビデオレコーディング方法を実現することを特徴とするプログラムを提供する。
本発明に係る実施例の第５の態様によれば、前記のプログラムが記録された記録媒体を提供する。
【００１９】
本発明に係る実施例に提供された技術案では、次の有益な効果を果たすことができる。
【００２０】
モバイル端末から送信される第１のネットワーク接続情報を受信し、第１のネットワーク接続情報に基づいてモバイル端末とバインディングされたモニターリング機器の第２のネットワーク接続情報を取得し、第１のネットワーク接続情報と第２のネットワーク接続情報とがマッチングする場合、モニターリング機器へレコーディング停止指令を送信することにより、ユーザが家にいる時にも、モニターリング機器が依然としてレコーディングされたビデオをサーバーにアップロードすることになり、ユーザのプライバシーを侵害させてしまう恐れがある問題を解決し、ユーザが携帯するモバイル端末のネットワーク接続状態に基づいてユーザが家にいるか否かを判断し、ユーザが家にいる時にモニターリング機器へレコーディング停止指令を送信し、ユーザのプライバシーを保護する効果に達した。
【００２１】
上記の一般的な説明及び後述の詳細な説明は、例示的かつ解釈的なものに過ぎず、本発明を限定するものではないことを理解すべきである。
【図面の簡単な説明】
【００２２】
ここで、図面は明細書に組み込んで本明細書の一部とし、本発明に合致する実施例を示すとともに、明細書とともに本発明の原理を説明する。
【図１】本発明の各実施例に係る実施環境を示す環境模式図である。
【図２】例示的な実施例に係るビデオレコーディング方法を示す方法フローチャートである。
【図３Ａ】別の例示的な実施例に係るビデオレコーディング方法を示す方法フローチャートである。
【図３Ｂ】別の例示的な実施例に係るビデオレコーディング方法の実施模式図である。
【図３Ｃ】別の例示的な実施例に係るビデオレコーディング方法の実施模式図である。
【図３Ｄ】別の例示的な実施例に係るビデオレコーディング方法における第２のネットワーク接続情報を取得する過程を示す方法フローチャートである。
【図３Ｅ】別の例示的な実施例に係るビデオレコーディング方法における第２のネットワーク接続情報を取得する過程を示す方法フローチャートである。
【図３Ｆ】別の例示的な実施例に係るビデオレコーディング方法における機器情報を取得する過程を示す方法フローチャートである。
【図４】例示的な実施例に係るビデオレコーディング装置の構成を示すブロック図である。
【図５】別の例示的な実施例に係るビデオレコーディング装置の構成を示すブロック図である。
【図６】例示的な実施例に係るビデオレコーディング装置を示すブロック図である。
【００２３】
上記図面を通じて本発明の明確な実施例を例示し、以下にさらに詳しく記述する。これらの図面は、何らかの方法で本発明の思想の範囲を制限するのではなく、特定な実施例を参照することで当業者に本発明のコンセプトを説明するためのものである。
【発明を実施するための形態】
【００２４】
ここで、例示的実施例を詳しく説明し、その実施例は図面に示される。以下の説明は図面に係る場合、特別に示されない限り、異なる図面における同じ符号は同じ又は共通する要素を示す。本発明に合致するすべての実施の形態は、以下の例示的実施例で記述される実施の形態に限られない。逆に、以下の例示的実施例で記述される実施の形態は、特許請求の範囲に詳しく記述される、本発明のいくつかの形態に合致する装置及び方法の実例に過ぎない。
【００２５】
図１は、本発明の各実施例に係る実施環境を示す環境模式図であり、当該実施環境は、モニターリング機器１１０、モバイル端末１２０、ゲートウェイ機器１３０、及びサーバー１４０を備える。
【００２６】
モニターリング機器１１０は、ビデオモニターリングの機能を持っているモニターリング機器であり、例えば、一定の計算能力を有するような有線又は無線のスマートカメラであってもよい。
【００２７】
モニターリング機器１１０とゲートウェイ機器１３０との間は、有線又は無線ネットワークによって接続されている。
【００２８】
モバイル端末１２０は、例えば、スマートフォン、タブレットＰＣ、電子ブックリーダー、ＭＰ３（Ｍｏｖｉｎｇ  Ｐｉｃｔｕｒｅ  Ｅｘｐｅｒｔｓ  Ｇｒｏｕｐ  Ａｕｄｉｏ  Ｌａｙｅｒ  ＩＩＩ）プレーヤー、及びＭＰ４（Ｍｏｖｉｎｇ  Ｐｉｃｔｕｒｅ  Ｅｘｐｅｒｔｓ  Ｇｒｏｕｐ  Ａｕｄｉｏ  Ｌａｙｅｒ  ＩＶ）プレーヤーのような電子機器である。
【００２９】
モバイル端末１２０とゲートウェイ機器１３０との間は、有線又は無線ネットワークによって接続されている。
【００３０】
ゲートウェイ機器１３０は、データ処理能力を有する電子機器である。ゲートウェイ機器１３０は、ルーター、ソフトウェアでルーティング機能をオープンしたホスト、又は３層のスイッチング機能を持っているネットワークスイッチであってもよい。
【００３１】
ゲートウェイ機器１３０とサーバー１４０との間は、有線又は無線ネットワークによって接続されている。
【００３２】
サーバー１４０は、１つのサーバー、又は複数のサーバーからなるサーバー群、又は１つのクラウドコンピューティングサービスセンターであってもよい。
【００３３】
説明すべきことは、本発明により提供されたビデオレコーディング方法は、ゲートウェイ機器１３０又はサーバー１４０に用いられることができる。以下、説明を簡略化するために、ビデオレコーディング方法がサーバーに用いられることのみを例にして説明するが、これらの内容は、本発明を何ら限定するものではない。
【００３４】
図２は、例示的な実施例に係るビデオレコーディング方法を示す方法フローチャートであり、本実施例では、当該ビデオレコーディング方法が図１に示すサーバー１４０に用いられ、当該ビデオレコーディング方法は、以下のステップ２０２〜ステップ２０６を含んでもよい。
【００３５】
ステップ２０２において、モバイル端末から送信される第１のネットワーク接続情報を受信する。
【００３６】
ステップ２０４において、第１のネットワーク接続情報に基づいて、モバイル端末とバインディングされたモニターリング機器の第２のネットワーク接続情報を取得する。
【００３７】
ステップ２０６において、第１のネットワーク接続情報と第２のネットワーク接続情報とがマッチングする場合、モニターリング機器へレコーディング停止指令を送信する。
【００３８】
上記を纏めて言えば、当該例示的な実施例で提供されたビデオレコーディング方法は、モバイル端末から送信される第１のネットワーク接続情報を受信し、第１のネットワーク接続情報に基づいてモバイル端末とバインディングされたモニターリング機器の第２のネットワーク接続情報を取得し、第１のネットワーク接続情報と第２のネットワーク接続情報とがマッチングする場合、モニターリング機器へレコーディング停止指令を送信することにより、ユーザが家にいる時にも、モニターリング機器が依然としてレコーディングされたビデオをサーバーにアップロードすることになり、ユーザのプライバシーを侵害させてしまう恐れがある問題を解決し、ユーザが携帯するモバイル端末のネットワーク接続状態に基づいてユーザが家にいるか否かを判断し、ユーザが家にいる時にモニターリング機器へレコーディング停止指令を送信し、ユーザのプライバシーを保護する効果に達した。
【００３９】
図３Ａは、別の例示的な実施例に係るビデオレコーディング方法を示す方法フローチャートであり、本実施例では、当該ビデオレコーディング方法が図１に示すサーバー１４０に用いられ、当該ビデオレコーディング方法は、以下のステップ３０１〜ステップ３０７を含んでもよい。
【００４０】
ステップ３０１において、モバイル端末又はモニターリング機器から送信されたモバイル端末のマーク及びモニターリング機器のマークを含むバインディング情報を受信する。
【００４１】
サーバーがモバイル端末から送信されるネットワーク接続情報を受信した後、バインディングしたモニターリング機器のネットワーク接続情報を取得するために、サーバーは、モバイル端末とモニターリング機器とのバインディング関係を予め保存する必要がある。当該モバイル端末は、ユーザが身につけて携帯するモバイル端末である。サーバーは、モバイル端末又はモニターリング機器から送信されたバインディング情報を受信し、且つバインディング情報に付されたモバイル端末のマーク及びモニターリング機器のマークに基づいて、モバイル端末とモニターリング機器とのバインディング関係を保存してもよい。
【００４２】
一つの可能な実施形態において、モバイル端末は、モニターリング機器管理ソフトウェアを実行し、ユーザがバインディング関係機器のインターフェースに、バインディングする必要があるモニターリング機器のマークを入力し、モバイル端末が当該モニターリング機器のマークに基づいてサーバーへバインディング情報を送信し、当該バインディング情報には、モニターリング機器のマーク及び現在のモバイル端末のマークを付している。ここで、モニターリング機器のマークは、モニターリング機器におけるブルートゥース（Ｂｌｕｅｔｏｏｔｈ）モジュールのＭＡＣ（Ｍｅｄｉａ  Ａｃｃｅｓｓ  Ｃｏｎｔｒｏｌ）アドレスであってもよく、モバイル端末のマークは、モバイル端末におけるブルートゥース（Ｂｌｕｅｔｏｏｔｈ(登録商標)）モジュールのＭＡＣアドレス又はＩＭＥＩ（Ｉｎｔｅｒｎａｔｉｏｎａｌ  Ｍｏｂｉｌｅ  Ｅｑｕｉｐｍｅｎｔ  Ｉｄｅｎｔｉｔｙ）番号等であってもよい。
【００４３】
例えば、図３Ｂに示すように、ユーザがモバイル端末３１にインストールされたモニターリング機器管理ソフトウェアを実行し、モバイル端末３１は、モニターリング機器の上の二次元コードをスキャンしてモニターリング機器におけるブルートゥースモジュールのＭＡＣアドレスを取得し、且つバインディング関係設定インターフェース３２に、カメラ標識３３を表示し、ユーザーにより選択する。モバイル端末３１は、ユーザの選択に基づいて、ブルートゥースモジュールのＭＡＣアドレスを現在のモバイル端末３１のマークとともにサーバーへ送信する。
【００４４】
別の可能な実施形態において、モバイル端末は、モニターリング機器の管理ソフトウェアを実行し、ユーザがバインディング関係設定インターフェースに「検索」をクリックし、付近のモニターリング機器を検索し、且つモニターリング機器のリストに表示させる。ユーザがモニターリング機器のリストからモニターリング機器を選択してバインディングし、モバイル端末がユーザの選択に基づいて、現在のモバイル端末のマークを、選択したモニターリング機器のマークとともにサーバーへ送信する。説明すべきことは、モバイル端末が、選択したモニターリング機器とを無線接続し、且つモバイル端末のマークをモニターリング機器へ送信し、モニターリング機器により、モバイル端末のマーク及びモニターリング機器のマークをサーバーへ送信してもよい。
【００４５】
例えば、図３Ｃに示すように、モバイル端末３１は、モニターリング機器の管理ソフトウェアを実行し、ユーザがバインディング関係設定インターフェース３２に、「検索」ボタン３４をクリックし、付近のモニターリング機器を検索し、モニターリング機器のリストに表示させる。ユーザがモニターリング機器のリストから１つのモニターリング機器を選択し、「バインディング」ボタン３５をクリックし、モバイル端末又はモニターリング機器により、モバイル端末及びモニターリング機器のマークをサーバーへ送信する。
【００４６】
これに対応して、モバイル端末は、モバイル端末又はモニターリング機器から送信されたバインディング情報を受信する。
【００４７】
ステップ３０２において、モバイル端末とモニターリング機器とのバインディング関係を保存する。
【００４８】
サーバーは、モバイル端末又はモニターリング機器から送信されたバインディング情報を受信した後、当該バインディング情報に付されたモバイル端末のマーク及びモニターリング機器のマークに基づいて、モバイル端末とモニターリング機器とのバインディング関係を保存する。ここで、当該バインディング関係は、表構造（ｔａｂｌｅ  ｓｔｒｕｃｔｕｒｅ）が表１に示すようなバインディング関係表に保存される。
【００４９】
【表１】
2017510222.tif 000016
説明すべきことは、１つのモバイル端末が同時に複数のモニターリング機器とバインディングしてもよく、１つのモニターリング機器も同時に複数のモバイル端末とバインディングしてもよい。本発明では、１つのモバイル端末と１つのモニターリング機器とをバインディングすることのみを例として説明したが、本発明を限定するものではない。
【００５０】
ステップ３０３において、モバイル端末から送信される第１のネットワーク接続情報を受信する。
【００５１】
モバイル端末がモニターリング機器管理ソフトウェアをバックグランドで実行する場合、現在のネットワーク接続状態を自動的に検出することができ、Ｗｉ−Ｆｉと接続されたこと、又は、接続のＷｉ−Ｆｉが変化することを検出した場合、モバイル端末がサーバーへ現在のネットワーク接続情報、即ち第１のネットワーク接続情報を送信することができる。ここで、当該第１のネットワーク接続情報は、モバイル端末と接続するゲートウェイ機器のＭＡＣアドレス及びＳＳＩＤ（Ｓｅｒｖｉｃｅ  Ｓｅｔ  Ｉｄｅｎｔｉｆｉｅｒ）情報を含む。
【００５２】
これに対応して、サーバーは、モバイル端末から送信される第１のネットワーク接続情報を受信する。
【００５３】
ステップ３０４において、第１のネットワーク接続情報に基づいて、モバイル端末とバインディングされたモニターリング機器の第２のネットワーク接続情報を取得する。
【００５４】
サーバーは、受信された第１のネットワーク接続情報に付されたモバイル端末のマークに基づいて、当該モバイル端末とバインディングされたモニターリング機器のネットワーク接続情報を取得する。当該ステップは、下記の２つの可能な実現形態を含む。
【００５５】
第１の可能な実施形態では、図３Ｄに示すように、ステップ３０４は、ステップ３０４ａ〜ステップ３０４ｄを含んでもよい。
【００５６】
ステップ３０４ａにおいて、サーバーは、第１のネットワーク接続情報からモバイル端末のマークを取得する。
【００５７】
例えば、サーバーは、受信された第１のネットワーク接続情報からモバイル端末のブルートゥースモジュールのＭＡＣアドレスが００：１１：２２：ＡＡ：ＢＢであることを取得した。
【００５８】
ステップ３０４ｂにおいて、サーバーは、モバイル端末のマークに基づいて予め設定されたバインディング関係からモバイル端末とバインディングされたモニターリング機器を検索する。
【００５９】
サーバーは、取得されたモバイル端末のマークに基づいて、予め設定されたバインディング関係表から、当該モバイル端末とバインディングされたモニターリング機器のマークを検索する。例えば、取得された、モバイル端末におけるブルートゥースモジュールのＭＡＣアドレスである００：１１：２２：ＡＡ：ＢＢに基づいて、バインディング関係表から、バインディングされたモニターリング機器のマークが００：１１：２２：ＡＡ：ＣＣであることを検索する。
【００６０】
ステップ３０４ｃにおいて、サーバーは、バインディングされたモニターリング機器へ第２のネットワーク接続情報取得指令を送信する。
【００６１】
サーバーは、モバイル端末がバインディングしたモニターリング機器を検索した後、当該モニターリング機器へ第２のネットワーク接続情報取得指令を送信し、当該第２のネットワーク接続情報取得指令は、モニターリング機器の現在のネットワーク接続情報を取得するために用いられる。
【００６２】
これに対応して、モニターリング機器は、当該第２のネットワーク接続情報取得指令を受信する。モニターリング機器が当該指令を受信した後、現在のネットワーク接続情報、即ち、第２のネットワーク接続情報をサーバーへ送信し、ここで、当該第２のネットワーク接続情報は、モニターリング機器が接続するゲートウェイ機器のＭＡＣアドレス、及びＳＳＩＤ情報を含む。
【００６３】
ステップ３０４ｄにおいて、サーバーは、バインディングされたモニターリング機器から送信された第２のネットワーク接続情報を受信する。
【００６４】
サーバーは、受信された第２のネットワーク接続情報に基づいて、モニターリング機器の現在の接続しているゲートウェイ機器の情報を認識することができる。
【００６５】
第２の可能な実施形態では、図３Ｅに示すように、ステップ３０４は、ステップ３０４Ａ〜ステップ３０４Ｃを含んでもよい。
【００６６】
ステップ３０４Ａにおいて、サーバーは、第１のネットワーク接続情報からモバイル端末のマークを取得する。
【００６７】
例えば、サーバーは、受信された第１のネットワーク接続情報からモバイル端末のブルートゥースモジュールのＭＡＣアドレスが００：１１：２２：ＡＡ：ＢＢであることを取得する。
【００６８】
ステップ３０４Ｂにおいて、サーバーは、モバイル端末のマークに基づいて予め設定されたバインディング関係からモバイル端末とバインディングされたモニターリング機器のマークを検索する。
【００６９】
サーバーは、取得されたモバイル端末のマークに基づいて、予め設定されたバインディング関係表から、当該モバイル端末とバインディングされたモニターリング機器のマークを検索する。例えば、取得された、モバイル端末におけるブルートゥースモジュールのＭＡＣアドレスである００：１１：２２：ＡＡ：ＢＢに基づいて、バインディング関係表から、バインディングされたモニターリング機器のマークが００：１１：２２：ＡＡ：ＣＣであることを検索する。
【００７０】
ステップ３０４Ｃにおいて、サーバーは、マークに基づいて、モニターリング機器により予めアップロードされた第２のネットワーク接続情報を取得する。当該第２のネットワーク接続情報は、モニターリング機器が接続情報の変化を検出した時又は初回接続した時にアップロードされたものである。
【００７１】
モニターリング機器は、ネットワーク接続情報を検出するようになっており、ネットワーク接続情報が変化すること、又はモニターリング機器がネットワークを初回接続することを検出した場合、モニターリング機器は、現在のネットワーク接続情報を取得し、サーバーへアップロードする。説明すべきことは、モニターリング機器も、一定の時間おきに、サーバーへ現在のネットワーク接続情報をアップロードしてもよい。
【００７２】
サーバーは、当該ネットワーク接続情報を第２のネットワーク接続情報表に保存し、且つ表におけるデータをリアルタイムで更新する。ここで、第２のネットワーク接続情報表の表構造は、表２に示すようにしてもよい。
【００７３】
【表２】
2017510222.tif 000017
サーバーは、検索されたモバイル端末とバインディングされたモニターリング機器のマークに基づいて、当該モニターリング機器の現在のネットワーク接続情報を検索する。例えば、サーバーで検索された、モバイル端末とバインディングされたモニターリング機器のマークが００：１１：２２：ＡＡ：ＣＣであれば、第２のネットワーク接続情報表から、当該モニターリング機器の現在のネットワーク接続情報が「ＳＳＩＤ情報：ＳＳＩＤ  Ａ、ＭＡＣアドレス：ＭＡＣ  Ａ」であることを検索する。
【００７４】
ステップ３０５において、第１のネットワーク接続情報と第２のネットワーク接続情報とがマッチングする場合、モニターリング機器へレコーディング停止指令を送信する。
【００７５】
サーバーは、受信された第１のネットワーク接続情報及び取得された第２のネットワーク接続情報を検出し、第１のネットワーク接続情報と第２のネットワーク接続情報とがマッチングする場合、モバイル端末とモニターリング機器とが同一のゲートウェイ機器と接続されていることを特定し、モニターリング機器へレコーディング停止指令を送信する。図３Ｆに示すように、ステップ３０５は、ステップ３０５ａ〜ステップ３０５ｃを含んでもよい。
【００７６】
ステップ３０５ａにおいて、サーバーは、第１のネットワーク接続情報における第１の機器情報及び第２のネットワーク接続情報における第２の機器情報を取得する。当該第１の機器情報は、モバイル端末の接続するゲートウェイ機器の機器情報であり、当該第２の機器情報は、モニターリング機器の接続するゲートウェイ機器の機器情報である。
【００７７】
サーバーは、第１のネットワーク接続情報における第１の機器情報を取得し、当該第１の機器情報は、モバイル端末の接続するゲートウェイ機器のＭＡＣアドレス、及びＳＳＩＤ情報を含み、例えば、当該第１の機器情報は、「ＳＳＩＤ情報：ＳＳＩＤ  Ａ、ＭＡＣアドレス：ＭＡＣ  Ａ」である。
【００７８】
同様に、サーバーは、第２のネットワーク接続情報における第２の機器情報を取得する。当該ゲートウェイ機器がインターネット回線によりゲートウェイ機器と接続される場合、第２の機器情報は、ゲートウェイ機器のＭＡＣアドレスを含み、当該ゲートウェイ機器が無線ネットワークによりゲートウェイ機器と接続される場合、第２の機器情報は、ゲートウェイ機器のＭＡＣアドレス及びＳＳＩＤ情報を含む。
【００７９】
ステップ３０５ｂにおいて、サーバーは、第１の機器情報と第２の機器情報とが同じであるか否かを検出する。
【００８０】
モニターリング機器がインターネット回線によりゲートウェイ機器と接続される場合、サーバーは、モバイル端末とモニターリング機器との接続するゲートウェイ機器のＭＡＣアドレスが同じであるか否かを検出する。両方のＭＡＣアドレスが同じである場合、モバイル端末とモニターリング機器とが同一のゲートウェイ機器と接続されており、両方のＭＡＣアドレスが異なる場合、モバイル端末とモニターリング機器とが同一のゲートウェイ機器と接続されていない。
【００８１】
モニターリング機器が無線ネットワークによりゲートウェイ機器と接続される場合、サーバーは、モバイル端末とモニターリング機器との接続するゲートウェイ機器のＳＳＩＤ情報が同じであるか否かを検出する。両方のゲートウェイ機器のＳＳＩＤ情報が異なる場合、モバイル端末とモニターリング機器とが同一のゲートウェイ機器と接続されていない。ここで、異なるゲートウェイ機器に同一のＳＳＩＤ情報が設定された可能性があるため、両方のゲートウェイ機器のＳＳＩＤ情報が同じである場合、サーバーは、さらに、モバイル端末とモニターリング機器との接続するゲートウェイ機器のＭＡＣアドレスが同じであるか否かを検出する。両方のＭＡＣアドレスが同じである場合、モバイル端末とモニターリング機器とが同一のゲートウェイ機器と接続されており、両方のＭＡＣアドレスが異なる場合、モバイル端末とモニターリング機器とが同一のゲートウェイ機器と接続されていない。
【００８２】
ステップ３０５ｃにおいて、第１の機器情報と第２の機器情報とが同じであることを検出した場合、サーバーは、モニターリング機器へレコーディング停止指令を送信する。
【００８３】
第１の機器情報と第２の機器情報とが同じであることを検出した場合、サーバーは、モニターリング機器へレコーディング停止指令を送信する。当該レコーディング停止指令は、モニターリング機器を、モニターリングを停止するように制御するために用いられる。これに対応して、モニターリング機器は、当該指令に基づいてモニターリングを停止する。
【００８４】
ステップ３０６において、第１の機器情報と第２の機器情報とが異なることを検出した場合、モニターリング機器へビデオレコーディング指令を送信する。
【００８５】
第１の機器情報と第２の機器情報とが異なることを検出した場合、サーバーは、モバイル端末とモニターリング機器とが同一のゲートウェイ機器と接続されておらず、モニターリング機器のモニターリングによりユーザのプライバシーを侵害することにならないと認識し、モニターリング機器へビデオレコーディング指令を送信する。
【００８６】
ステップ３０７において、モバイル端末が接続を切断することを検出した場合、モニターリング機器へビデオレコーディング指令を送信する。
【００８７】
モバイル端末が接続を切断する場合、サーバーへ接続切断情報を送信し、モバイル端末が如何なるゲートウェイ機器と接続されていないことを、サーバーに通知する。サーバーは、当該接続切断情報を受信した後、モニターリング機器へビデオレコーディング指令を送信し、モニターリングし得ることをモニターリング機器に通知する。
【００８８】
上記を纏めて言えば、当該例示的な実施例で提供されたビデオレコーディング方法は、モバイル端末から送信される第１のネットワーク接続情報を受信し、第１のネットワーク接続情報に基づいてモバイル端末とバインディングされたモニターリング機器の第２のネットワーク接続情報を取得し、第１のネットワーク接続情報と第２のネットワーク接続情報とがマッチングする場合、モニターリング機器へレコーディング停止指令を送信することにより、ユーザが家にいる時にも、モニターリング機器が依然としてレコーディングされたビデオをサーバーにアップロードすることになり、ユーザのプライバシーを侵害させてしまう恐れがある問題を解決し、ユーザが携帯するモバイル端末のネットワーク接続状態に基づいてユーザが家にいるか否かを判断し、ユーザが家にいる時にモニターリング機器へレコーディング停止指令を送信し、ユーザのプライバシーを保護する効果に達した。
【００８９】
当該例示的な実施例では、さらに、モニターリング機器により第２のネットワーク接続情報をアップロードし、又はサーバーによりモニターリング機器に第２のネットワーク接続情報を問い合わせ、サーバーは、当該第２のネットワーク接続情報及びモバイル端末から送信される第１のネットワーク接続情報に基づいて、モバイル端末とモニターリング機器との接続するゲートウェイ機器が同じであるか否かを判断し、且つ判断の結果に基づいてモニターリング機器へ相応の指令を送信し、これにより、第２のネットワーク接続情報の正確性を向上させ、ビデオモニターリングの即時性を向上させる効果に達した。
【００９０】
説明すべきことは、当該例示的な実施例に係るビデオレコーディング方法は、さらに、ゲートウェイ機器１３０により実行することができ、即ち、ゲートウェイ機器１３０に、モバイル端末とモニターリング機器とのバインディング関係を保存しており、ゲートウェイ機器１３０は、受信された第１のネットワーク接続情報に基づいて、モバイル端末とバインディングされたモニターリング機器の第２のネットワーク接続情報を取得し、第１のネットワーク接続情報と第２のネットワーク接続情報とがマッチングする場合、モニターリング機器へレコーディング停止指令を送信する。その実現形態は、上記実施例と類似しており、ここで、具体的な説明を省略する。
【００９１】
以下は、本発明に係る装置の実施例であり、本発明に係る方法の実施例を実行するために用いられてもよい。本発明に係る装置の実施例に記載されない詳細について、本発明に係る方法の実施例を参照することができる。
【００９２】
図４は、例示的な実施例に係るビデオレコーディング装置の構成を示すブロック図であり、当該ビデオレコーディング装置は、ソフトウェア、ハードウェア又は両方の組み合わせにより、サーバーの一部又は全部になるように実現することができる。当該ビデオレコーディング装置は、
モバイル端末から送信される第１のネットワーク接続情報を受信するように配置される第１の受信モジュール４０２と、
第１の受信モジュール４０２で受信された第１のネットワーク接続情報に基づいてモバイル端末とバインディングされたモニターリング機器の第２のネットワーク接続情報を取得するように配置される情報取得モジュール４０４と、
第１の受信モジュール４０２で受信された第１のネットワーク接続情報と、情報取得モジュール４０４で取得された第２のネットワーク接続情報とがマッチングする場合、モニターリング機器へレコーディング停止指令を送信するように配置される停止指令送信モジュール４０６と、を備えてもよい。
【００９３】
上記を纏めて言えば、当該例示的な実施例で提供されたビデオレコーディング装置は、モバイル端末から送信される第１のネットワーク接続情報を受信し、第１のネットワーク接続情報に基づいてモバイル端末とバインディングされたモニターリング機器の第２のネットワーク接続情報を取得し、第１のネットワーク接続情報と第２のネットワーク接続情報とがマッチングする場合、モニターリング機器へレコーディング停止指令を送信することにより、ユーザが家にいる時にも、モニターリング機器が依然としてレコーディングされたビデオをサーバーにアップロードすることになり、ユーザのプライバシーを侵害させてしまう恐れがある問題を解決し、ユーザが携帯するモバイル端末のネットワーク接続状態に基づいてユーザが家にいるか否かを判断し、ユーザが家にいる時にモニターリング機器へレコーディング停止指令を送信し、ユーザのプライバシーを保護する効果に達した。
【００９４】
図５は、例示的な実施例に係るビデオレコーディング装置の構成を示すブロック図であり、当該ビデオレコーディング装置は、ソフトウェア、ハードウェア又は両方の組み合わせにより、サーバーの一部又は全部になるように実現することができる。当該ビデオレコーディング装置は、
モバイル端末から送信される第１のネットワーク接続情報を受信するように配置される第１の受信モジュール５０２と、
第１の受信モジュール５０２で受信された第１のネットワーク接続情報に基づいてモバイル端末とバインディングされたモニターリング機器の第２のネットワーク接続情報を取得するように配置される情報取得モジュール５０４と、
第１の受信モジュール５０２で受信された第１のネットワーク接続情報と、情報取得モジュール５０４で取得された第２のネットワーク接続情報とがマッチングする場合、モニターリング機器へレコーディング停止指令を送信するように配置される停止指令送信モジュール５０６と、を備えてもよい。
【００９５】
選択的に、停止指令送信モジュール５０６は、
第１のネットワーク接続情報における、モバイル端末の接続するゲートウェイ機器の機器情報である第１の機器情報及び第２のネットワーク接続情報における、モニターリング機器の接続するゲートウェイ機器の機器情報である第２の機器情報を取得するように配置される機器情報取得サブモジュール５０６ａと、
機器情報取得サブモジュール５０６ａで取得された第１の機器情報と第２の機器情報とが同じか否かを検出するように配置される機器情報検出サブモジュール５０６ｂと、
機器情報検出サブモジュール５０６ｂにより、第１の機器情報と第２の機器情報とが同じであることを検出した場合、モニターリング機器へレコーディング停止指令を送信するように配置される停止指令送信サブモジュール５０６ｃと、を備える。
【００９６】
選択的に、当該装置は、
機器情報検出サブモジュール５０６ｂにより、第１の機器情報と第２の機器情報とが異なることを検出した場合、モニターリング機器へビデオレコーディング指令を送信するように配置される第１の指令送信モジュール５０７、
又は、
機器情報検出サブモジュール５０６ｂにより、モバイル端末が接続を切断することを検出した場合、モニターリング機器へビデオレコーディング指令を送信するように配置される第２の指令送信モジュール５０８を、さらに備える。
【００９７】
選択的に、情報取得モジュール５０４は、
第１のネットワーク接続情報からモバイル端末のマークを取得するように配置される第１の取得サブモジュール５０４ａと、
第１の取得サブモジュール５０４ａで取得されたモバイル端末のマークに基づいて予め設定されたバインディング関係からモバイル端末とバインディングされたモニターリング機器を検索するように配置される第１の検索サブモジュール５０４ｂと、
第１の検索サブモジュール５０４ｂで検索されたバインディングされたモニターリング機器へ第２のネットワーク接続情報取得指令を送信するように配置される情報取得指令送信サブモジュール５０４ｃと、
第１の検索サブモジュール５０４ｂで検索されたバインディングされたモニターリング機器から送信された第２のネットワーク接続情報を受信するように配置される情報受信サブモジュール５０４ｄと、を備える。
【００９８】
選択的に、情報取得モジュール５０４は、
第１のネットワーク接続情報からモバイル端末のマークを取得するように配置される第２の取得サブモジュール５０４ｅと、
第２の取得サブモジュール５０４ｅで取得されたモバイル端末のマークに基づいて予め設定されたバインディング関係からモバイル端末とバインディングされたモニターリング機器のマークを検索するように配置される第２の検索サブモジュール５０４ｆと、
第２の検索サブモジュール５０４ｆで検索されたマークに基づいて、モニターリング機器で予めアップロードされた第２のネットワーク接続情報を取得し、当該第２のネットワーク接続情報は、モニターリング機器が接続情報の変化を検出した時又は初回接続した時にアップロードされたものであるように配置される接続情報取得サブモジュール５０４ｇとを、さらに備える。
【００９９】
選択的に、当該装置は、
モバイル端末又はモニターリング機器から送信された、モバイル端末のマーク及びモニターリング機器のマークを含むバインディング情報を受信するように配置されるバインディング情報受信モジュール５０９と、
モバイル端末とモニターリング機器とのバインディング関係を保存するように配置されるバインディング関係保存モジュール５１０とを、さらに備える。
【０１００】
上記を纏めて言えば、当該例示的な実施例で提供されたビデオレコーディング装置は、モバイル端末から送信される第１のネットワーク接続情報を受信し、第１のネットワーク接続情報に基づいてモバイル端末とバインディングされたモニターリング機器の第２のネットワーク接続情報を取得し、第１のネットワーク接続情報と第２のネットワーク接続情報とがマッチングする場合、モニターリング機器へレコーディング停止指令を送信することにより、ユーザが家にいる時にも、モニターリング機器が依然としてレコーディングされたビデオをサーバーにアップロードすることになり、ユーザのプライバシーを侵害させてしまう恐れがある問題を解決し、ユーザが携帯するモバイル端末のネットワーク接続状態に基づいてユーザが家にいるか否かを判断し、ユーザが家にいる時にモニターリング機器へレコーディング停止指令を送信し、ユーザのプライバシーを保護する効果に達した。
【０１０１】
当該例示的な実施例では、さらに、モニターリング機器により第２のネットワーク接続情報をアップロードし、又はサーバーによりモニターリング機器に第２のネットワーク接続情報を問い合わせ、サーバーは、当該第２のネットワーク接続情報及びモバイル端末から送信される第１のネットワーク接続情報に基づいて、モバイル端末とモニターリング機器との接続するゲートウェイ機器が同じであるか否かを判断し、且つ判断の結果に基づいてモニターリング機器へ相応の指令を送信し、これにより、第２のネットワーク接続情報の正確性を向上させ、ビデオモニターリングの即時性を向上させる効果に達した。
【０１０２】
上記の実施例に係る装置について、各ユニットが操作を実行する具体的な形態は、すでに該当する方法に係る実施例において詳細に記載され、ここで、詳細に説明しない。
【０１０３】
図６は、例示的な実施例に係るビデオレコーディング装置を示すブロック図である。装置６００は、１つ又は複数のプロセッサを含むプロセスアセンブリ６２２と、プロセスアセンブリ６２２で実行可能な指令、例えばアプリプログラムを記憶するメモリ６３２で代表されたメモリリソースを備える。メモリ６３２に記憶されたアプリプログラムは、１つ又は１つ以上の、それぞれ１セットの指令に対応するモジュールを備える。なお、プロセスアセンブリ６２２は、指令を実行して上記サーバー側のビデオレコーディング方法を実行するように配置される。
【０１０４】
装置６００は、さらに、装置６００の電源管理を実行するように配置される電源アセンブリ６２６と、装置６００とネットワークとを接続するように配置される有線又は無線のネットワークインターフェース６５０と、入出力（Ｉ／Ｏ）インターフェース６５８を備えてもよい。装置６００は、メモリ６３２に記憶されたオペレーティングシステム（ＯＳ：Ｏｐｅｒａｔｉｎｇ  Ｓｙｓｔｅｍ）、例えば、Ｗｉｎｄｏｗｓ  ＳｅｒｖｅｒＴＭ、Ｍａｃ  ＯＳ  ＸＴＭ、ＵｎｉｘＴＭ、ＬｉｎｕｘＴＭ、ＦｒｅｅＢＳＤＴＭ又は類似しているものにより動作することができる。
【０１０５】
当業者にとって、明細書を考慮してこの発明を実施した後、本発明のその他の実施の形態を容易に想到し得ることができる。本願は、本発明のいかなる変形、用途又は適応的変化をカバーすることを目的とし、これら変形、用途又は適応的変化は、本発明の一般的原理に従うとともに、本発明に開示されていない本技術分野における公知の常識又は慣用の技術手段を含む。明細書及び実施例は、例示的なものに過ぎず、本発明の本当の範囲及び主旨は、特許請求の範囲に含まれる。
【０１０６】
本発明は、以上のように説明すると共に図面に示された正確な構造に限られず、その要旨を逸脱しない範囲内で各種の補正及び変更を行うことができると理解すべきである。本発明の範囲は、特許請求の範囲のみで限定される。
【０１０７】
本願は、出願番号がＣＮ２０１４１０８５２２７１．Ｘであって、出願日が２０１４年１２月３１日である中国特許出願に基づき優先権を主張し、当該中国特許出願のすべての内容を本願に援用する。
【国際調査報告】
2017510222.tif 000018
2017510222.tif 000019
2017510222.tif 000020
2017510222.tif 000021